(57)【要約】【課題】一覧表示時におけるユーザの検索の操作を考慮し、一覧表示される各情報を確認する容易性を向上させる。【解決手段】  所定の表示可能領域を有するメイン表示部１７と、ユーザにより操作される操作機構を有し、当該操作機構に対する操作速度を入力する方向速度入力部１５Ｇとを備え、制御部１３Ａは、入力された操作速度に基づいて、表示可能領域中に表示する情報数を設定する設定処理と、設定処理により設定された情報数の情報を表示可能領域に表示する表示制御処理と、を実行する。【選択図】図２
2010198310.tif 000002
【特許請求の範囲】
【請求項１】
所定の表示可能領域を有する表示手段と、
ユーザにより操作される操作機構を有し、当該操作機構に対する操作速度を入力する操作入力手段と、
前記操作入力手段により入力された操作速度に基づいて、前記表示手段の表示可能領域中に表示する情報数を設定する設定手段と、
前記設定手段により設定された情報数の情報を前記表示手段の表示可能領域に表示する表示制御手段と
を備えることを特徴とする情報表示装置。
【請求項２】
前記設定手段は、前記操作入力手段により入力された操作速度に基づいて、前記表示手段の表示可能領域に表示させる情報の大きさを設定することを特徴とする請求項１に記載の情報表示装置。
【請求項３】
前記設定手段は、前記操作速度が所定値まで増加又は減少した場合に、前記表示手段の表示可能領域中に表示する情報数を段階的に増加又は減少させることを特徴とする請求項１又は請求項２の何れか一項に記載の情報表示装置。
【請求項４】
前記表示制御手段は、複数の情報が重ならないように前記表示手段に表示させることを特徴とする請求項１乃至請求項３の何れか一項に記載の情報表示装置。
【請求項５】
前記表示制御手段は、複数の情報を前記表示手段の表示可能領域の縁部に隣接させ、当該複数の情報を円状に配置したことを特徴とする請求項４に記載の情報表示装置。
【請求項６】
前記表示制御手段は、複数の情報を前記表示手段の表示可能領域の縦方向又は横方向に配置したことを特徴とする請求項４に記載の情報表示装置。
【請求項７】
予め複数の情報を記録したメモリを有するコンピュータを、
ユーザにより操作される操作機構を有し、当該操作機構に対する操作速度を入力する操作入力手段により入力された操作速度に基づいて、所定の表示可能領域を有する表示手段の表示可能領域中に表示する情報数を設定する設定手段、
前記設定手段により設定された情報数の情報を前記表示手段の表示可能領域に表示する表示制御手段
として機能させることを特徴とするプログラム。
【発明の詳細な説明】
【技術分野】
【０００１】
本発明は、情報を表示する情報表示装置及びそのプログラムに関する。
【背景技術】
【０００２】
従来より、デジタルカメラ等において、メモリ等に記録している画像のサムネイル画像を一覧表示させ、且つ、十字キーのキー操作により、ユーザが閲覧を所望する画像を表示する技術が知られている（例えば、下記の特許文献１を参照）。
【先行技術文献】
【特許文献】
【０００３】
【特許文献１】特開２０００−２０１３２１号公報
【発明の概要】
【発明が解決しようとする課題】
【０００４】
しかしながら、上記の技術においては、十字キーの操作回数をなるべく少なくするべく、一度に表示するサムネイル画像の数を多くしようすると、これに反比例して各サムネイル画像の表示面積が小さくなり、ユーザは所望する画像のサムネイル画像を確認しづらくなるという問題が発生する。
またこれとは逆に、一覧表示するサムネイル画像のサイズを大きくすれば、一度に表示されるサムネイル画像の数は少なくなり、所望する画像のサムネイル画像を検索するための十字キーの操作回数を増やしてしまうという問題も発生する。
本発明は、上述した実情に鑑みて提案されたものであり、一覧表示時におけるユーザの検索の操作を考慮し、一覧表示される各情報を確認する容易性を向上させることを目的とする。
【課題を解決するための手段】
【０００５】
本発明は、上記の課題を解決するために次のような手段を講じた。
【０００６】
本発明の請求項１を、所定の表示可能領域を有する表示手段と、ユーザにより操作される操作機構を有し、当該操作機構に対する操作速度を入力する操作入力手段と、前記操作入力手段により入力された操作速度に基づいて、前記表示手段の表示可能領域中に表示する情報数を設定する設定手段と、前記設定手段により設定された情報数の情報を前記表示手段の表示可能領域に表示する表示制御手段とを備えることを特徴とする情報表示装置とした。
【０００７】
本発明の請求項２を、前記設定手段は、前記操作入力手段により入力された操作速度に基づいて、前記表示手段の表示可能領域に表示させる情報の大きさを設定することを特徴とする請求項１に記載の情報表示装置とした。
【０００８】
本発明の請求項３を、前記設定手段は、前記操作速度が所定値まで増加又は減少した場合に、前記表示手段の表示可能領域中に表示する情報数を段階的に増加又は減少させることを特徴とする請求項１又は請求項２の何れか一項に記載の情報表示装置とした。
【０００９】
本発明の請求項４を、前記表示制御手段は、複数の情報が重ならないように前記表示手段に表示させることを特徴とする請求項１乃至請求項３の何れか一項に記載の情報表示装置とした。
【００１０】
本発明の請求項５を、前記表示制御手段は、複数の情報を前記表示手段の表示可能領域の縁部に隣接させ、当該複数の情報を円状に配置したことを特徴とする請求項４に記載の情報表示装置とした。
【００１１】
本発明の請求項６を、前記表示制御手段は、複数の情報を前記表示手段の表示可能領域の縦方向又は横方向に配置したことを特徴とする請求項４に記載の情報表示装置とした。
【００１２】
本発明の請求項７を、予め複数の情報を記録したメモリを有するコンピュータを、ユーザにより操作される操作機構を有し、当該操作機構に対する操作速度を入力する操作入力手段により入力された操作速度に基づいて、所定の表示可能領域を有する表示手段の表示可能領域中に表示する情報数を設定する設定手段、前記設定手段により設定された情報数の情報を前記表示手段の表示可能領域に表示する表示制御手段として機能させることを特徴とするプログラムとした。
【発明の効果】
【００１３】
本発明によれば、一覧表示時におけるユーザの検索の操作を考慮し、一覧表示される各情報を確認する容易性を向上することができる。
【図面の簡単な説明】
【００１４】
【図１】本実施の形態に係る情報選択装置１００の概略構成を示すブロック図である。
【図２】第１実施例に係る情報選択装置１００を用いた情報選択方法の概要を説明した表示遷移説明図である。
【図３】方向速度入力部１５Ｇの具体例を示す概略構成図である。
【図４】方向速度入力部１５Ｇが図３（ｃ）の様に構成された場合の、操作速度の入力方法の一形態を示す操作概要説明図である。
【図５】方向速度入力部１５Ｇへの入力において、特に操作速度が入力されることにより、メイン表示部１７の表示がどのように制御されるのかを示した表示遷移説明図である。
【図６】方向速度入力部１５Ｇへの入力において、特に操作方向の入力に基づき、メイン表示部１７の表示がどのように制御されるのかを示した表示遷移説明図である。
【図７】操作速度を設定するための、速度入力角度を説明した説明図である。
【図８】メイン表示制御部１６がメイン表示部１７に表示制御する分割度ｓと操作速度との対応関係を示す説明図である。
【図９】情報選択装置１００の表示制御の手順を示すメインルーチンに係るフローチャートである。
【図１０】情報選択装置１００のレイアウト変更判断制御の手順を示すサブルーチンに係るフローチャートである。
【図１１】カーソルの移動に伴う処理の手順を示すサブルーチンに係るフローチャートである。
【図１２】カーソルにより選択中の情報に関する情報を表示するように構成した場合の表示状態を示す表示状態説明図である。
【図１３】第２実施例に係る情報選択装置１００の表示制御を示す表示遷移説明図である。
【図１４】第２実施例に係る情報選択装置１００のレイアウト変更判断制御の手順を示すサブルーチンに係るフローチャートである。
【図１５】第３実施例に係る情報選択装置１００において段階的に操作速度を上げるように操作速度の入力が行なわれた場合の表示制御を示す表示遷移説明図である。
【図１６】第３実施例に係る情報選択装置１００において段階的に操作速度を下げるように操作速度の入力が行なわれた場合の表示制御を示す表示遷移説明図である。
【図１７】第３実施例に係る情報選択装置１００のレイアウト変更判断制御の手順を示すサブルーチンに係るフローチャートである。
【発明を実施するための形態】
【００１５】
（第１実施例）
＜１−１．回路構成＞
図１は、本実施の形態に係る情報選択装置１００の概略構成を示すブロック図である。
情報選択装置１００は、情報表示装置であると共に画面構成装置でもある。
【００１６】
情報選択装置１００は、撮像光学部１１、撮像部１２、情報処理領域１３、記録領域１４、操作入力領域１５、メイン表示制御部１６、及び、メイン表示部１７、を備える。
【００１７】
情報処理領域１３は、制御部１３Ａ、特殊演算部１３Ｂ、画像圧縮部１３Ｃ、及び、撮像処理部１３Ｄ、を備える。
【００１８】
記録領域１４は、外部記録装置部１４Ａ、外部記録装置１４Ｂ、保存記録装置１４Ｃ、及び、一時記録装置１４Ｄ、を備える。
【００１９】
操作入力領域１５は、撮影指示部１５Ａ、決定指示部１５Ｂ、モード設定部１５Ｃ、移動操作部１５Ｄ、メニュー操作部１５Ｅ、電源操作部１５Ｆ、及び、方向速度入力部１５Ｇ、を備える。
【００２０】
[制御部]
情報選択装置１００は、バスラインＢＬを介して各部に接続された制御部１３Ａを備えている。
制御部１３Ａは、情報選択装置１００の各部を制御するＭＰＵ（Ｍｉｃｒｏ  Ｐｒｏｃｅｓｓｉｎｇ  Ｕｎｉｔ）である。
なお、この制御部１３Ａは、複数のチップから構成されていても構わない。
【００２１】
[特殊演算部]
特殊演算部１３Ｂは、所定の演算を行うことにより、制御部１３Ａを補助するＭＰＵ（Ｍｉｃｒｏ  Ｐｒｏｃｅｓｓｉｎｇ  Ｕｎｉｔ）である。
特殊演算部１３Ｂは、この所定の演算を行うために専用に設けられており、この演算を高速に行うことを可能にする。
【００２２】
[一時記録装置]
一時記録装置１４Ｄは、制御部１３Ａ等で処理する各種データを仮に記録しておくための、揮発性の記録装置である。
一時記録装置１４Ｄは、ＤＲＡＭ、ＳＲＡＭ、の内の何れか１つであって構わない。
[保存記録装置]
保存記録装置１４Ｃは、制御部１３Ａ等で各種データを処理するための各種プログラムや各種設定等を記録しておくための、不揮発性の記録装置である。
保存記録装置１４Ｃは、フラッシュＥＥＰＲＯＭ（フラッシュメモリ）、ＦｅＲＡＭ、ＭＲＡＭ、ＲｅＲＡＭ、ＰＲＡＭ、の内の何れか１つであって構わない。
【００２３】
[撮像光学部]
撮像光学部１１は、光学部材を実装するレンズユニットである。
撮像光学部１１は、フォーカスレンズとズームレンズとを備える。
【００２４】
[撮像部]
撮像部１２は、撮像光学部１１を通して、被写体Ｏの光像を撮像する。
撮像部１２は、この被写体Ｏの光像を光電変換して光電変換信号を取得する撮像素子を備える。
撮像素子は、ＣＭＯＳイメージセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ  Ｉｍａｇｅ  Ｓｅｎｓｏｒ）、又は、ＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）の何れか１つであって構わない。
ここでは、撮像素子はＣＭＯＳイメージセンサとする。
撮像部１２は、光電変換信号をＡＥ（自動露出補正）処理等に伴い増幅して得たアナログデータを、デジタルデータに変換するＡ／Ｄ変換部（ＡＤＣ）を備えている。
このデジタルデータは、ＲＧＢデータである。
【００２５】
[撮像処理部]
撮像処理部１３Ｄは、ＲＧＢデータから、適宜画像処理を施したＹＵＶデータを生成する。
なお、ここでＲＧＢデータは、ＲＡＷデータである。
【００２６】
[画像圧縮部]
画像圧縮部１３Ｃは、ＹＵＶデータから、ＪＰＥＧデータ等の撮影画像データを生成する。
ＪＰＥＧデータとは、ＪＰＥＧ（Ｊｏｉｎｔ  ＰｈｏｔｏｇｒａｐｈｉｃＥｘｐｅｒｔ  Ｇｒｏｕｐ）が作成した規格に則り圧縮された画像データである。
ここでは、撮影画像データはＪＰＥＧデータとする。
【００２７】
[外部記録装着部]
外部記録装着部１４Ａは、外部記録装置を情報選択装置１００に装着するための接続部である。
外部記録装着部１４Ａは、外部記録装置の着脱状態を検知する着脱検知部を備えていても良い。
【００２８】
[外部記録装置]
外部記録装置１４Ｂは、外部記録装着部１４Ａに装着されて情報を記録可能な不揮発性の記録媒体である。
外部記録装置１４Ｂは、外部記録装着部１４Ａに対して着脱可能に構成されている。
外部記録装置１４Ｂは、画像圧縮部１３Ｃで生成された撮影画像データを記録する。
外部記録装置１４Ｂは、ＳＤメモリカードやＵＳＢメモリなどのフラッシュＥＥＰＲＯＭ（フラッシュメモリ）、ＦｅＲＡＭ、ＭＲＡＭ、ＲｅＲＡＭ、ＰＲＡＭ、又は、ＤＶＤ等の相記録媒体の内の何れか１つであって構わない。
ここでは、外部記録装置１４Ｂは、フラッシュＥＥＰＲＯＭとする。
【００２９】
[メイン表示部]
メイン表示部１７は、表示可能領域を１つ有する。
メイン表示部１７は、各種データに基づき、この表示可能領域に各種の画像や情報を表示する。
一例を挙げると、メイン表示部１７は、撮像部１２で撮像して得た撮影画像データを撮影画像として表示する。
本発明においては、メイン表示部１７において例えば図２に例示している表示画面を表示する。
その詳細などは後述する。
なお、メイン表示部による表示画面の表示は、単に視覚で視認可能にすることとする。
しかし、例えば、これは触覚により確認可能にすることであっても良い。
[メイン表示制御部]
メイン表示制御部１６は、メイン表示部１７に各種データに基づき、各種画像や情報を表示させるように制御する。
【００３０】
[撮影指示部]
ここでは、撮影指示部１５Ａは、半押し全押しを押し分け可能な釦式スイッチとする。
つまりここでは、撮影指示部１５Ａは、シャッター釦である。
[移動操作部]
移動操作部１５Ｄは、例えば、情報選択装置１００に各種設定を行う際、選択表示としての入力カーソルを移動する。
移動操作部１５Ｄは、上下左右の４方向や８方向を入力可能である、釦式スイッチ・レバー式スイッチ・半導体圧力センサなどのタッチセンサ・光位置センサの内の１つであって構わない。
ここでは、移動操作部１５Ｄは、上下左右の方向を入力可能な１組の釦とする。
[決定指示部]
決定指示部１５Ｂは、所定の入力状態において、撮影者による入力決定の指示を受ける。
ここでは、決定指示部１５Ｂは、押下を検出する釦式のスイッチとする。
【００３１】
[メニュー操作部]
メニュー操作部１５Ｅは、所定の状態において、撮影者による後述するメニュー画面の表示指示を受ける。
ここでは、メニュー操作部１５Ｅは、押下を検出する釦式のスイッチとする。
【００３２】
[モード設定部]
モード設定部１５Ｃは、撮影者による、後述する撮影モード、再生モードの切り替え指示を受ける。
ここでは、モード設定部１５Ｃは、スライド式のスイッチとする。
[電源操作部]
電源操作部１５Ｆは、撮影者による情報選択装置１００の電源ＯＮ／ＯＦＦの指示を受ける。
ここでは、電源操作部１５Ｆは、押下を検出する釦式のスイッチとする。
【００３３】
なお、モード設定部１５Ｃは、電源操作部１５Ｆを兼ねても構わない。
【００３４】
[方向速度入力部]
方向速度入力部１５Ｇは、操作方向及び操作速度を入力可能な入力装置である。
方向速度入力部１５Ｇについては、後に図３を用いて詳細に説明する。
【００３５】
［操作入力領域］
操作入力領域１５は、所定の操作入力を行う入力部を１つにまとめた領域である。
この領域に属する入力部は、独立して構成しても、複数組み合わせて構成しても構わない。
また、１つの入力部が複数の入力部の機能を備える構成としても構わない。
また、この領域に属する入力部は、適宜、トグルスイッチ、スナップスイッチ、タクトスイッチ、押しボタンスイッチ、スライドスイッチ、ロータリースイッチ、タッチパネル、等のスイッチの内の一つに置き換えられても構わない。
【００３６】
［記録領域］
記録領域１４は、所定の記録部を１つにまとめた領域である。
この領域に属する記録部は、独立して構成しても、複数組み合わせて構成しても構わない。
また、１つの記録部が複数の記録部の機能を備える構成としても構わない。
【００３７】
［情報処理領域］
情報処理領域１３は、所定の情報の処理部を１つにまとめた領域である。
この領域に属する処理部は、独立して構成しても、複数組み合わせて構成しても構わない。
また、１つの処理部が複数の処理部の機能を備える構成としても構わない。
【００３８】
＜１−２．第１の情報選択方法の概要＞
図２は、本発明の第１実施例に係る情報選択装置１００を用いた情報選択方法の概要を説明した表示遷移説明図である。
本発明の第１実施例に係る情報選択方法を実現するための各情報を配置するレイアウトを構成するためのルールを、第１のレイアウトルールとする。
【００３９】
図２は、メイン表示部１７における情報の表示状態を示している。
方向速度入力部１５Ｇは、操作者が、操作方向と共に操作速度を入力するためのものである。
方向速度入力部１５Ｇは、操作方向として、＋方向又は−方向の方向を入力可能である。
方向速度入力部１５Ｇは、操作速度として、操作速度ｖ＝０である第１の操作速度レベル、０＜操作速度ｖ＜ｖ１である第２の操作速度レベル、ｖ１＜＝操作速度ｖ＜ｖ２である第３の操作速度レベル、ｖ２＜＝である第４の操作速度レベル、の４つのレベルに区分可能な速度を入力可能である。
【００４０】
外部記録装置１４Ｂには、１番目の情報である情報１から１００番目の情報である情報１００までの情報が全て記録されている。
ここで、各情報は、ＥＸＩＦ情報と関連付けられた画像情報である。
ここで、１番目から１００番目までの情報順番は、各画像情報の撮影日時の早い順とする。
なお、ここでは情報を１００個記録されているように記載したが、当然、１個も記録されていない場合もあり得るし、１０００個以上記録されている場合もあり得る。
【００４１】
図２（ａ−１）、図２（ａ−２）、及び図２（ａ−３）は、表示する分割度ｓが４の時のメイン表示部１７の様子を示したものである。
図２（ｂ−１）、図２（ｂ−２）、及び図２（ｂ−３）は、表示する分割度ｓが８の時のメイン表示部１７の様子を示したものである。
図２（ｃ−１）、図２（ｃ−２）、及び図２（ｃ−３）は、表示する分割度ｓが１２の時のメイン表示部１７の様子を示したものである。
図２に示した表示状態では、各情報を、メイン表示部１７の外周に沿って、時計回りの順番で番号が大きくなるように、情報が順番に表示されている。
なお、本実施例においては、時計回りの順番で番号が大きくなるように、情報を順番に設定しているが、当然、例えば時計回りの順番で番号が小さくなるように、情報を順番に設定しても構わない。
【００４２】
図２（ａ−１）において、方向操作入力部１５Ｇに第２の操作速度レベルで＋方向の操作が入力されると、表示状態は図２（ａ−２）に示す通りになる。
図２（ａー２）において、同様の操作が再度入力されると、表示状態は図２（ａ−３）に示す通りになる。
すなわち、操作入力に伴い、カーソルが＋方向の情報表示領域に１つ移動すると共に、カーソル移動後の情報表示領域に、カーソル移動前の情報表示領域に表示されていた情報より１つ大きな番号の情報を表示している。
【００４３】
図２（ａ−１）から図２（ａ−２）へ表示状態が遷移する場合、カーソル移動前の情報表示領域に表示されていた情報より１つ大きな番号の情報を表示するため、情報１を表示していた情報表示領域に、情報４より１つ大きな番号の情報である情報５を更新して表示している。
図２（ａ−２）から図２（ａ−３）へ表示状態が遷移する場合、カーソル移動前の情報表示領域に表示されていた情報より１つ大きな番号の情報を表示するため、情報２を表示していた情報表示領域に、情報５より１つ大きな番号の情報である情報６を更新して表示している。
【００４４】
図２（ｂ−１）において、方向操作入力部１５Ｇに第３の操作速度レベルで＋方向の操作が入力されると、表示状態は図２（ｂ−２）に示す通りになる。
図２（ｂー２）において、同様の操作が再度入力されると、表示状態は図２（ｂ−３）に示す通りになる。
すなわち、操作入力に伴い、カーソルが＋方向の情報表示領域に１つ移動すると共に、カーソル移動後の情報表示領域に、カーソル移動前の情報表示領域に表示されていた情報より１つ大きな番号の情報を表示している。
【００４５】
図２（ｂ−１）から図２（ｂ−２）へ表示状態が遷移する場合、カーソル移動前と移動後とで、各情報表示領域に表示する情報の番号は実質変わらないので、情報を更新して表示しても良いし、更新せずにカーソル移動前から表示していた情報をそのまま表示し続けても構わない。
ここでは情報の更新は行なわず、カーソル移動前から表示していた情報をそのまま表示し続ける形態とする。
【００４６】
図２（ｂ−２）から図２（ｂ−３）へ表示状態が遷移する場合、カーソル移動前と移動後とで、各情報表示領域に表示する情報の番号は実質変わらないので、情報を更新して表示しても良いし、更新せずにカーソル移動前から表示していた情報をそのまま表示し続けても構わない。
ここでは情報の更新は行なわず、カーソル移動前から表示していた情報をそのまま表示し続ける形態とする。
【００４７】
図２（ｃ−１）において、方向操作入力部に第４の操作速度レベルで＋方向の操作が入力されると、表示状態は図２（ｃ−２）に示す通りになる。
図２（ｃ−２）において、同様の操作が再度入力されると、表示状態は図２（ａ−３）に示す通りになる。
すなわち、操作入力に伴い、カーソルが＋方向の情報表示領域に１つ移動すると共に、カーソル移動後の情報表示領域に、カーソル移動前の情報表示領域に表示されていた情報より１つ大きな番号の情報を表示している。
【００４８】
図２（ｃ−１）から図２（ｃ−２）へ表示状態が遷移する場合、カーソル移動前と移動後とで、各情報表示領域に表示する情報の番号は実質変わらないので、情報を更新して表示しても良いし、更新せずにカーソル移動前から表示していた情報をそのまま表示し続けても構わない。
ここでは情報の更新は行なわず、カーソル移動前から表示していた情報をそのまま表示し続ける形態とする。
【００４９】
図２（ｃ−２）から図２（ｃ−３）へ表示状態が遷移する場合、カーソル移動前と移動後とで、各情報表示領域に表示する情報の番号は実質変わらないので、情報を更新して表示しても良いし、更新せずにカーソル移動前から表示していた情報をそのまま表示し続けても構わない。
ここでは情報の更新は行なわず、カーソル移動前から表示していた情報をそのまま表示し続ける形態とする。
【００５０】
図２（ａ−１）において、方向操作入力部１５Ｇに第３の操作速度レベルで＋方向に操作が入力されると、表示状態は図２（ｂ−１）に示す通りになる。
図２（ｂ−１）において、方向操作入力部１５Ｇに第４の操作速度レベルで＋方向に操作が入力されると、表示状態は図２（ｃ−１）に示す通りになる。
すなわち、操作入力に伴い、メイン表示部１７に表示する分割度ｓを増加させると共に、カーソルが＋方向の情報表示領域に１つ移動すると共に、カーソル移動後の情報表示領域に、カーソル移動前の情報表示領域に表示されていた情報より１つ大きな番号の情報を表示している。
【００５１】
図２（ａ−２）において、方向操作入力部１５Ｇに第３の操作速度レベルで＋方向に操作が入力されると、表示状態は図２（ｂ−２）に示す通りになる。
図２（ｂ−２）において、方向操作入力部１５Ｇに第４の操作速度レベルで＋方向に操作が入力されると、表示状態は図２（ｃ−２）に示す通りになる。
すなわち、操作入力に伴い、メイン表示部１７に表示する分割度ｓを増加させると共に、カーソルが＋方向の情報表示領域に１つ移動すると共に、カーソル移動後の情報表示領域に、カーソル移動前の情報表示領域に表示されていた情報より１つ大きな番号の情報を表示している。
【００５２】
図２（ａ−３）において、方向操作入力部１５Ｇに第３の操作速度レベルで＋方向に操作が入力されると、表示状態は図２（ｂ−３）に示す通りになる。
図２（ｂ−３）において、方向操作入力部１５Ｇに第４の操作速度レベルで＋方向に操作が入力されると、表示状態は図２（ｃ−３）に示す通りになる。
すなわち、操作入力に伴い、メイン表示部１７に表示する分割度ｓを増加させると共に、カーソルが＋方向の情報表示領域に１つ移動すると共に、カーソル移動後の情報表示領域に、カーソル移動前の情報表示領域に表示されていた情報より１つ大きな番号の情報を表示している。
【００５３】
以上に＋方向の操作があったときの表示制御について記載した。
以下に記載する通り、−方向の操作があったときの表示制御についても同様である。
すなわち、操作入力に伴い、カーソルが−方向の情報表示領域に１つ移動すると共に、カーソル移動後の情報表示領域に、カーソル移動前の情報表示領域に表示されていた情報より１つ小さな番号の情報を表示する。
【００５４】
なお、上記においては、操作速度レベルが徐々に変わるように変更された状態について記載した。
しかし、操作速度レベルは、第１の操作速度レベルから、所定の操作速度レベルを飛び越して、いきなり第３又は第４の操作速度レベルが入力されても構わない。
この時、情報表示領域は入力された操作速度レベルに係る分割度を満たすように表示制御される。
【００５５】
具体的には、図２（ａ−１）において、方向操作入力部１５Ｇに第４の操作速度レベルで＋方向の操作方向が入力されると、表示状態は図２（ｃ−１）においてカーソルを情報５に重畳して表示する位置に変更した表示状態になる。
【００５６】
この制御についても、−方向の操作があったときの表示制御についても同様である。
【００５７】
＜１−３．方向速度入力部＞
図３は、方向速度入力部１５Ｇの具体例を示す概略構成図である。
上記した通り、方向速度入力部１５Ｇは、操作者が、操作方向と共に操作速度を入力するための操作機構である。
方向速度入力部１５Ｇは、操作方向として、＋方向又は−方向の方向を入力可能である。
方向速度入力部１５Ｇは、操作速度として、操作速度ｖ＝０である第１の操作速度レベル、０＜操作速度ｖ＝＜ｖ１である第２の操作速度レベル、ｖ１＜操作速度ｖ＝＜ｖ２である第３の操作速度レベル、ｖ２＜である第４の操作速度レベル、の４つのレベルに区分可能な速度を入力可能である。
【００５８】
その装置構成は、例えば図３（ａ）〜図３（ｄ）に記載しているものが考えられる。
図３（ａ）は、情報選択装置１００に対して回転軸が垂直になるように設置したダイヤルにより、操作方向及び操作速度を入力可能に構成した例である。
図３（ｂ）は、情報選択装置１００に対して回転軸が水平になるように設置したダイヤルにより、操作方向及び操作速度を入力可能に構成した例である。
図３（ｃ）及び図３（ｄ）は、情報選択装置１００に設置したタッチパッド又はタッチパネルに所望の動作を入力することにより、操作方向及び操作速度を入力可能に構成した例である。
操作方向及び操作速度を入力するに当たり、図３（ｃ）のように円状の操作軌跡を入力しても、図３（ｄ）のように直線状の操作軌跡を入力しても、操作方向及び操作速度が認識可能であるので、何れの方式で操作を入力するように構成しても構わない。
【００５９】
なお、図４に記載しているように、図３（ｃ）のように円状の操作軌跡を入力することで操作方向及び操作速度を入力する場合においては、その操作軌跡が大きな円を描いているか小さな円を描いているかを認識して、大きな円を描いている場合には、操作速度が実際よりも小さなものとして認識されると共に、小さな円を描いている場合には、操作速度が実際よりも大きなものとして認識されるように、入力された操作速度に重み付けを行うように構成しても構わない。
【００６０】
なお、方向操作入力部１５Ｇは、操作角度を入力するものであっても構わない。
このように構成した場合、操作方向及び操作速度は、操作角度の入力履歴に基づいて、例えば制御部１３Ａが算出するものとしても良い。
これにより、操作方向及び操作速度を間接的に取得することが出来る。
また、操作角度と共に、操作方向、操作速度の内の少なくとも何れか１つを直接に入力する構成としても構わない。
【００６１】
＜１−４．第１の情報選択方法の詳細＞
図５は、方向速度入力部１５Ｇへの入力において、特に操作速度が入力されることにより、メイン表示部１７の表示がどのように制御されるのかを示した表示遷移説明図である。
【００６２】
図５（ａ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域４にカーソルが重畳表示されている様子を示している。
【００６３】
ここでは、分割度ｓ＝４であるから、メイン表示部１７には領域番号１である情報表示領域１乃至領域番号４である情報表示領域４が設定されている。
以降の記載において、情報表示領域Ｘと記載した場合、この情報表示領域に係る領域番号はＸであり、メイン表示部１７上に配置されている情報表示領域に係る最後の領域番号は分割度ｓと等しいものとして、その記載を省略する。
【００６４】
図５（ｂ）は、メイン表示部１７に、分割度ｓ＝８として８つの情報表示領域を有するレイアウトを設定し、情報表示領域１に情報５、情報表示領域２に情報６、情報表示領域３に情報７、情報表示領域４に情報８、情報表示領域５に情報１、情報表示領域６に情報２、情報表示領域７に情報３、情報表示領域８に情報４、を表示させ、情報表示領域５にカーソルが重畳表示されている様子を示している。
【００６５】
図５（ｃ）は、メイン表示部１７に、分割度ｓ＝１２として１２の情報表示領域を有するレイアウトを設定し、情報表示領域１に情報５、情報表示領域２に情報６、情報表示領域３に情報７、情報表示領域４に情報８、情報表示領域５に情報９、情報表示領域６に情報１０、情報表示領域７に情報１１、情報表示領域８に情報１２、情報表示領域９に情報１、情報表示領域１０に情報２、情報表示領域１１に情報３、情報表示領域１２に情報４、を表示させ、情報表示領域６にカーソルが重畳表示されている様子を示している。
【００６６】
図５（ａ）において、方向速度入力部１５Ｇに、第３の操作速度レベルで＋方向の操作方向が入力されると、メイン表示部１７は、図５（ｂ）に示す表示状態に遷移する。
この操作速度及び操作方向の入力に基づき、新たなレイアウトが設定される。
また、このレイアウトの設定に伴い、設定された各情報表示領域に、第１のレイアウトルールに基づき領域順番を付与する。
この場合、初期領域順番は１、初期情報順番は５、先頭情報順番は１、である。
そして、これらの設定に基づき、レイアウト上の各情報表示領域に、各情報と選択表示が配置される。
【００６７】
図５（ｂ）において、方向速度入力部１５Ｇに、第４の操作速度レベルで＋方向の操作方向が入力されると、メイン表示部１７は、図５（ｃ）に示す表示状態に遷移する。
この操作速度及び操作方向の入力に基づき、新たなレイアウトが設定される。
また、このレイアウトの設定に伴い、設定された各情報表示領域に、第１のレイアウトルールに基づき領域順番を付与する。
この場合、初期領域順番は２、初期情報順番は６、先頭情報順番は１、である。
そして、これらの設定に基づき、レイアウト上の各情報表示領域に、各情報と選択表示が配置される。
【００６８】
つまり、＋方向の操作方向が入力されると、領域番号を１加算した情報表示領域にカーソルを移動させると共に、カーソル移動前のレイアウトに係る領域番号が最大の情報表示領域にカーソルが位置している時にはカーソル移動後のレイアウトに係る情報表示領域１にカーソルを移動させる。
なお、−方向の操作方向が入力されると、領域番号を１減算した情報表示領域にカーソルを移動させると共に、カーソル移動前のレイアウトに係る領域番号が最小の情報表示領域１にカーソルが位置している時にはカーソル移動後のレイアウトに係る領域番号が最大の情報表示領域にカーソルを移動させる。
【００６９】
図６は、方向速度入力部１５Ｇへの入力において、特に操作方向の入力に基づき、メイン表示部１７の表示がどのように制御されるのかを示した表示遷移説明図である。
【００７０】
図６（ａ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域１にカーソルが重畳表示されている様子を示している。
【００７１】
この時、方向操作入力部１５Ｇに第２の操作速度レベルで＋方向の操作方向が入力されると、表示が図６（ｂ）に示すように遷移する。
【００７２】
つまり、このように操作速度及び操作方向が入力されると、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【００７３】
図６（ｂ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域２にカーソルが重畳表示されている様子を示している。
【００７４】
この時、方向操作入力部１５Ｇに第２の操作速度レベルで＋方向の操作方向が入力されると、表示が図６（ｃ）に示すように遷移する。
【００７５】
つまり、このように操作速度及び操作方向が入力されると、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【００７６】
図６（ｃ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域３にカーソルが重畳表示されている様子を示している。
【００７７】
この時、方向操作入力部１５Ｇに第２の操作速度レベルで＋方向の操作方向が入力されると、表示が図６（ｄ）に示すように遷移する。
【００７８】
つまり、このように操作速度及び操作方向が入力されると、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【００７９】
図６（ｄ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域４にカーソルが重畳表示されている様子を示している。
【００８０】
この時、方向操作入力部１５Ｇに第２の操作速度レベルで＋方向の操作方向が入力されると、表示が図６（ｅ）に示すように遷移する。
【００８１】
つまり、このように操作速度及び操作方向が入力されると、カーソル移動前の情報表示領域に係る領域順番が、最大の領域順番である４なので、領域順番が最初である１に係る情報表示領域にカーソルが移動される。
カーソルの移動後の情報表示領域には、移動前の情報表示領域より情報順番が１つ増加した情報が表示されている。
この情報は、カーソルの移動に伴い、カーソルの移動前に表示していた情報に代替するようにして情報を更新して表示されている。
【００８２】
図６（ｅ）は、メイン表示部１７に、分割度ｓ＝４として４つの情報表示領域を有するレイアウトを設定し、情報表示領域１に情報５、情報表示領域２に情報２、情報表示領域３に情報３、情報表示領域４に情報４、を表示させ、情報表示領域１にカーソルが重畳表示されている様子を示している。
【００８３】
この時、方向操作入力部１５Ｇに第２の操作速度レベルで＋方向の操作方向が入力されると、表示が図６（ｆ）に示すように遷移する。
【００８４】
つまり、このように操作速度及び操作方向が入力されると、領域順番が１つ増加した情報表示領域にカーソルが移動される。
カーソルの移動後の情報表示領域には、移動前の情報表示領域より情報順番が１つ増加した情報が表示されている。
この情報は、カーソルの移動に伴い、カーソルの移動前に表示していた情報に代替するようにして情報を更新して表示されている。
【００８５】
図６（ｆ）は、メイン表示部１７に、分割度ｓ＝４として４つの情報表示領域を有するレイアウトを設定し、情報表示領域１に情報５、情報表示領域２に情報６、情報表示領域３に情報３、情報表示領域４に情報４、を表示させ、情報表示領域２にカーソルが重畳表示されている様子を示している。
【００８６】
この時、方向操作入力部１５Ｇに第２の操作速度レベルで−方向の操作方向が入力されると、表示が図６（ｇ）に示すように遷移する。
【００８７】
つまり、このように操作速度及び操作方向が入力されると、領域順番が１つ減少した情報表示領域にカーソルが移動される。
カーソルの移動後の情報表示領域には、移動前の情報表示領域より情報順番が１つ減少した情報が表示されている。
この情報は、カーソルの移動前より表示されている情報をそのまま表示しつづけているものであるが、カーソルの移動に伴い、再度更新して表示されるようにしても構わない。
【００８８】
図６（ｇ）は、メイン表示部１７に、分割度ｓ＝４として４つの情報表示領域を有するレイアウトを設定し、情報表示領域１に情報５、情報表示領域２に情報６、情報表示領域３に情報３、情報表示領域４に情報４、を表示させ、情報表示領域１にカーソルが重畳表示されている様子を示している。
【００８９】
この時、方向操作入力部１５Ｇに第２の操作速度レベルで−方向の操作方向が入力されると、表示が図６（ｈ）に示すように遷移する。
【００９０】
つまり、このように操作速度及び操作方向が入力されると、カーソル移動前の情報表示領域に係る領域順番が、最小の領域順番である１なので、領域順番が最後である４に係る情報表示領域にカーソルが移動される。
カーソルの移動後の情報表示領域には、移動前の情報表示領域より情報順番が１つ減少した情報が表示されている。
この情報は、カーソルの移動前より表示されている情報をそのまま表示しつづけているものであるが、カーソルの移動に伴い、再度更新して表示されるようにしても構わない。
【００９１】
図６（ｈ）は、メイン表示部１７に、分割度ｓ＝４として４つの情報表示領域を有するレイアウトを設定し、情報表示領域１に情報５、情報表示領域２に情報６、情報表示領域３に情報３、情報表示領域４に情報４、を表示させ、情報表示領域４にカーソルが重畳表示されている様子を示している。
【００９２】
この時、方向操作入力部１５Ｇに第２の操作速度レベルで−方向の操作方向が入力されると、表示が図６（ｉ）に示すように遷移する。
【００９３】
つまり、このように操作速度及び操作方向が入力されると、領域順番が１つ減少した情報表示領域にカーソルが移動される。
カーソルの移動後の情報表示領域には、移動前の情報表示領域より情報順番が１つ減少した情報が表示されている。
この情報は、カーソルの移動前より表示されている情報をそのまま表示しつづけているものであるが、カーソルの移動に伴い、再度更新して表示されるようにしても構わない。
【００９４】
図６（ｉ）は、メイン表示部１７に、分割度ｓ＝４として４つの情報表示領域を有するレイアウトを設定し、情報表示領域１に情報５、情報表示領域２に情報６、情報表示領域３に情報３、情報表示領域４に情報４、を表示させ、情報表示領域３にカーソルが重畳表示されている様子を示している。
【００９５】
この時、方向操作入力部１５Ｇに第２の操作速度レベルで−方向の操作方向が入力されると、表示が図６（ｊ）に示すように遷移する。
【００９６】
つまり、このように操作速度及び操作方向が入力されると、領域順番が１つ減少した情報表示領域にカーソルが移動される。
カーソルの移動後の情報表示領域には、移動前の情報表示領域より情報順番が１つ減少した情報が表示されている。
この情報は、カーソルの移動に伴い、カーソルの移動前に表示していた情報に代替するようにして情報を更新して表示されている。
【００９７】
図６（ｊ）は、メイン表示部１７に、分割度ｓ＝４として４つの情報表示領域を有するレイアウトを設定し、情報表示領域１に情報５、情報表示領域２に情報２、情報表示領域３に情報３、情報表示領域４に情報４、を表示させ、情報表示領域２にカーソルが重畳表示されている様子を示している。
【００９８】
この時、方向操作入力部１５Ｇに第２の操作速度レベルで−方向の操作方向が入力されると、表示が図６（ｋ）に示すように遷移する。
【００９９】
つまり、このように操作速度及び操作方向が入力されると、領域順番が１つ減少した情報表示領域にカーソルが移動される。
カーソルの移動後の情報表示領域には、移動前の情報表示領域より情報順番が１つ減少した情報が表示されている。
この情報は、カーソルの移動に伴い、カーソルの移動前に表示していた情報に代替するようにして情報を更新して表示されている。
【０１００】
図６（ｋ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域１にカーソルが重畳表示されている様子を示している。
【０１０１】
なお、上記においては、カーソルは情報表示領域に係る表示順番に合わせて移動しているが、このようではなく、情報表示領域に表示している情報に係る情報順番に合わせて移動するようにしても構わない。
【０１０２】
上記した操作速度は、単純に方向操作入力部１５Ｇの単位時間当たりの操作角度としての操作角度であるように構成しても構わないが、本実施形態における操作速度は、以下の通り設定するものとする。
【０１０３】
＜１−５．操作速度＞
図７は、操作速度を設定するための、速度入力角度を説明した説明図である。
図７（ａ）は、分割度ｓ＝４とした時の速度入力角度を説明した説明図であり、図５（ａ）に対応したものである。
図７（ｂ）は、分割度ｓ＝８とした時の速度入力角度を説明した説明図であり、図５（ｂ）に対応したものである。
図７（ｃ）は、分割度ｓ＝１２とした時の速度入力角度を説明した説明図であり、図５（ｃ）に対応したものである。
【０１０４】
図７（ａ）について、図５（ａ）を参照して以下に説明する。
速度入力角度ｓ１〜ｓ４は、方向操作入力部１５Ｇの回動可能な角度領域を９０度ずつに４当分した角度領域区分を示すためのものである。
ここで、方向操作入力部１５Ｇは、操作方向、操作速度、に加えて操作角度として操作角度を入力可能である。
ｓ４＜操作角度＜ｓ１の時、カーソルは情報表示領域１に位置する。
ｓ１＜操作角度＜ｓ２の時、カーソルは情報表示領域２に位置する。
ｓ２＜操作角度＜ｓ３の時、カーソルは情報表示領域３に位置する。
ｓ３＜操作角度＜ｓ４の時、カーソルは情報表示領域４に位置する。
操作角度がｓ１からｓ２へと操作された場合、その所要時間ｔに基づき、操作速度が判断される。つまり、操作速度＝９０度／ｔである。
操作角度がｓ１乃至ｓ４、の内の何れか１つと等しい時、操作方向と操作速度が判断される。
そしてこの操作方向と操作速度とに基づいて、メイン表示部１７の表示の更新が行なわれる。
【０１０５】
図７（ｂ）について、図５（ｂ）を参照して以下に説明する。
速度入力角度ｓ１〜ｓ８は、方向操作入力部１５Ｇの回動可能な角度領域を４５度ずつに８当分した角度領域区分を示すためのものである。
ここで、方向操作入力部１５Ｇは、操作方向、操作速度、に加えて操作角度を入力可能である。
ｓ８＜操作角度＜ｓ１の時、カーソルは情報表示領域１に位置する。
ｓ１＜操作角度＜ｓ２の時、カーソルは情報表示領域２に位置する。
ｓ２＜操作角度＜ｓ３の時、カーソルは情報表示領域３に位置する。
ｓ３＜操作角度＜ｓ４の時、カーソルは情報表示領域４に位置する。
ｓ４＜操作角度＜ｓ５の時、カーソルは情報表示領域５に位置する。
ｓ５＜操作角度＜ｓ６の時、カーソルは情報表示領域６に位置する。
ｓ６＜操作角度＜ｓ７の時、カーソルは情報表示領域７に位置する。
ｓ７＜操作角度＜ｓ８の時、カーソルは情報表示領域８に位置する。
操作角度がｓ１からｓ２へと操作された場合、その所要時間ｔに基づき、操作速度が判断される。つまり、操作速度＝４５度／ｔである。
操作角度がｓ１乃至ｓ８、の内の何れか１つと等しい時、操作方向と操作速度が判断される。
そしてこの操作方向と操作速度とに基づいて、メイン表示部１７の表示の更新が行なわれる。
【０１０６】
図７（ｃ）について、図５（ｃ）を参照して以下に説明する。
速度入力角度ｓ１〜ｓ１２は、方向操作入力部１５Ｇの回動可能な角度領域を３０度ずつに１２当分した角度領域区分を示すためのものである。
ここで、方向操作入力部１５Ｇは、操作方向、操作速度、に加えて操作角度を入力可能である。
ｓ１１＜操作角度＜ｓ１２の時、カーソルは情報表示領域１に位置する。
ｓ１２＜操作角度＜ｓ１の時、カーソルは情報表示領域２に位置する。
ｓ１＜操作角度＜ｓ２の時、カーソルは情報表示領域３に位置する。
ｓ２＜操作角度＜ｓ３の時、カーソルは情報表示領域４に位置する。
ｓ３＜操作角度＜ｓ４の時、カーソルは情報表示領域５に位置する。
ｓ４＜操作角度＜ｓ５の時、カーソルは情報表示領域６に位置する。
ｓ５＜操作角度＜ｓ６の時、カーソルは情報表示領域７に位置する。
ｓ６＜操作角度＜ｓ７の時、カーソルは情報表示領域８に位置する。
ｓ７＜操作角度＜ｓ８の時、カーソルは情報表示領域９に位置する。
ｓ８＜操作角度＜ｓ９の時、カーソルは情報表示領域１０に位置する。
ｓ９＜操作角度＜ｓ１０の時、カーソルは情報表示領域１１に位置する。
ｓ１０＜操作角度＜ｓ１１の時、カーソルは情報表示領域１２に位置する。
操作角度がｓ１からｓ２へと操作された場合、その所要時間ｔに基づき、操作速度が判断される。つまり、操作速度＝３０度／ｔである。
操作角度がｓ１乃至ｓ１２、の内の何れか１つと等しい時、操作方向と操作速度が判断される。
そしてこの操作方向と操作速度とに基づいて、メイン表示部１７の表示の更新が行なわれる。
【０１０７】
図８は、メイン表示制御部１６がメイン表示部１７に表示制御する分割度ｓと操作速度との対応関係を示す図である。
０＜操作速度＜ｖ１、つまり第２の操作速度レベルの時、分割度は４である。
ｖ１＜＝操作速度＜ｖ２、つまり第３の操作速度レベルの時、分割度は８である。
ｖ２＜＝操作速度、つまり第４の操作速度レベルの時、分割度は１２である。
更に、方向速度入力部に何も操作が加えられていない時、つまり操作速度＝０で第１の操作速度レベルにある時、分割度は、その直前の状態における分割度を維持するものとする。
つまり、徐々に操作速度が低下して終に０になった場合の分割度は４であるが、第４の操作速度レベルにおいて突然操作を停止して操作速度が０になった場合の分割度は１２である。
【０１０８】
＜１−６．第１の情報選択方法に係るフローチャート＞
図９は、上記した情報選択装置１００の表示制御の手順を示すメインルーチンに係るフローチャートである。
【０１０９】
[ステップｓ１１：カーソル移動検出？]
方向速度入力部１５Ｇにより、カーソルの移動が入力されたか否かを検出する。
カーソルの移動が検出された場合、制御部１３Ａはフローチャートをステップｓ１２に進める。
カーソルの移動が検出されない場合、制御部１３Ａはフローチャートをステップｓ１９に進める。
【０１１０】
[ステップｓ１２：レイアウト変更判断]
制御部１３Ａは、レイアウトを変更するか否かの判断を行う図１０を参照して後述するサブルーチンを実行した後、フローチャートをステップｓ１３に進める。
【０１１１】
[ステップｓ１３：レイアウト変更有り？]
制御部１３Ａは、図１０を参照して後述するサブルーチンによりレイアウトを変更すると判断された場合、フローチャートをステップｓ１４に進める。
制御部１３Ａは、当該レイアウトを変更しないと判断された場合、フローチャートをステップｓ１５に進める。
【０１１２】
[ステップｓ１４：レイアウト設定]
制御部１３Ａは、ステップｓ２２にて決定された分割度ｓ´に基づき、メイン表示部１７に各情報を表示するための情報表示領域に係るレイアウトを組みなおした新レイアウトを設定する。
制御部１３Ａは、新レイアウトに設定されて情報を表示するための各情報表示領域に所定の番号を付与する。
制御部１３Ａは、所定の情報表示領域の番号を１番として設定すると共に、各情報表示領域の番号が所定順番で１ずつ増加してくように番号を付与する。
制御部１３Ａは、フローチャートをステップｓ１５に進める。
【０１１３】
[ステップｓ１５：情報読み出し必要性判断]
制御部１３Ａは、ステップｓ１１にて入力されたカーソルの移動に基づき、新たな情報を読み出す必要があるか否かの判断を行う。
上記に説明した図６を用いて例示すれば、図６（ｅ）から図６（ｆ）へと遷移する場合は、カーソルの移動に伴い未表示の情報である情報６を読み出す必要があると判断する。
図６（ａ）から図６（ｂ）へと遷移する場合は、カーソルの移動に伴い未表示の情報は無いことから、新たな情報を読み出す必要は無いと判断する。
制御部１３Ａは、フローチャートをステップｓ１６に進める。
【０１１４】
[ステップｓ１６：情報読み出し必要？]
制御部１３Ａは、ステップｓ１５にて新たな情報を読み出す必要が有ると判断した場合は、フローチャートをステップｓ１７に進める。
制御部１３Ａは、ステップｓ１５にて新たな情報を読み出す必要が無いと判断した場合は、フローチャートをステップｓ１８に進める。
【０１１５】
[ステップｓ１７：情報読み出し]
ステップｓ１７での判断に基づき、制御部１３Ａは、外部記録装置１４Ｂから該当する新たな情報を一時記録装置１４Ｄに読み出す。
制御部１３Ａは、フローチャートをステップｓ１８に進める。
【０１１６】
[ステップｓ１８：カーソル移動]
制御部１３Ａは、カーソルの移動に伴う処理を行う図１１を参照して後述するサブルーチンを実行した後、フローチャートをステップｓ１９に進める。
【０１１７】
[ステップｓ１９：表示]
制御部１３Ａは、メイン表示部１７の表示を以下に従って更新する。
各情報を表示するレイアウトは、ステップｓ１２にて変更する必要があると判断された場合はステップｓ１４で設定されたレイアウト、そうではない場合は、従前のレイアウトとする。
カーソルの位置は、上記の通り決定されているレイアウトと、ステップｓ１８で決定されたカーソルの移動と、に基づき設定される。
レイアウトに表示する情報は、全て一時記録装置１４Ｄに記録されている。
つまり、ステップｓ１７で情報が読み出されている場合、この情報が含まれる。
【０１１８】
図１０は、上記した情報選択装置１００のレイアウト変更判断制御の手順を示すサブルーチンに係るフローチャートである。
【０１１９】
[ステップｓ２１：操作速度算出]
制御部１３Ａは、図７と共に説明した算出方法により、操作速度を算出する。
制御部１３Ａは、フローチャートをステップｓ２２に進める。
【０１２０】
[ステップｓ２２：操作速度に基づき新たな分割度ｓ´を設定]
制御部１３Ａは、図８と共に説明した操作速度と分割度との対応関係に基づき、メイン表示部１７に表示する分割度ｓ´を設定する。
制御部１３Ａは、フローチャートをステップｓ２３に進める。
【０１２１】
[ステップｓ２３：現在の分割度ｓと新たな分割度ｓ´との関係？]
制御部１３Ａは、ステップｓ１１にてカーソルの移動を検出した時点でメイン表示部１７に表示している分割度ｓと、ステップｓ２２にて設定された分割度ｓ´とを比較する。
制御部１３Ａは、分割度ｓと分割度ｓ´が等しい時、フローチャートをステップｓ２４に進める。
制御部１３Ａは、分割度ｓと分割度ｓ´が等しくない時、フローチャートをステップｓ２５に進める。
【０１２２】
[ステップｓ２４：レイアウト変更無し]
制御部１３Ａは、レイアウトの変更は無いものと判断する。
制御部１３Ａは、フローチャートをメインルーチンのステップｓ１２に戻す。
【０１２３】
[ステップｓ２５：レイアウト変更有り]
制御部１３Ａは、レイアウトの変更が有るものと判断する。
制御部１３Ａは、フローチャートをメインルーチンのステップｓ１２に戻す。
【０１２４】
図１１は、上記したカーソルの移動に伴う処理の手順を示すサブルーチンに係るフローチャートである。
【０１２５】
[ステップｓ３１：＋方向への操作有り？]
制御部１３Ａは、ステップｓ１１におけるカーソルの移動の検出に伴い、方向速度入力部１５Ｇに＋方向の操作方向が入力されたか否かを判断する。
制御部１３Ａは、＋方向の操作方向の入力が有ったと判断された場合、フローチャートをステップｓ３２に進める。
制御部１３Ａは、＋方向の操作方法の入力が無かったと判断された場合、フローチャートをステップｓ３３に進める。
【０１２６】
[ステップｓ３２：＋方向の１つ隣にカーソル移動]
制御部１３Ａは、現在設定されているレイアウトの分割度に基づき、カーソルを重畳して表示する情報表示領域を、＋方向つまり時計回り方向へ１つ隣の情報表示領域に移動する設定を行う。
制御部１３Ａは、フローチャートをメインルーチンのステップｓ１８に戻す。
【０１２７】
[ステップｓ３３：−方向への操作有り？]
制御部１３Ａは、ステップｓ１１におけるカーソルの移動の検出に伴い、方向速度入力部１５Ｇに−方向の操作方向が入力されたか否かを判断する。
制御部１３Ａは、−方向の操作方向の入力が有ったと判断された場合、フローチャートをステップｓ３４に進める。
制御部１３Ａは、−方向の操作方法の入力が無かったと判断された場合、フローチャートをステップｓ３４に進める。
【０１２８】
[ステップｓ３４：−方向の一つ隣にカーソル移動]
制御部１３Ａは、現在設定されているレイアウトの分割度に基づき、カーソルを重畳して表示する情報表示領域を、−方向つまり反時計回り方向へ１つ隣の情報表示領域に移動する設定を行う。
制御部１３Ａは、フローチャートをメインルーチンのステップｓ１８に戻す。
【０１２９】
なお、第１実施例に係る情報選択装置１００においては、メイン表示部１７の周囲に各情報を配置したレイアウトを採用しているため、表示する分割度ｓによっては、その中央部に残余の情報表示領域である残余情報表示領域が存在していた。
この情報表示領域には、例えば図１２に記載するように、カーソルにより選択中の情報に関する情報を表示するように構成しても構わない。
ここではカーソルにより選択中の情報に関する情報は画像情報とする。
しかし、ここで情報は前記した通り、ＥＸＩＦ情報を付加した画像情報であるから、この残余の情報表示領域に表示するのは、相当する画像情報又はＥＸＩＦ情報の何れであっても構わない。
【０１３０】
（第２実施例）
＜２−１．第２の情報選択方法＞
図１３は、本発明の第２実施例に係る情報選択装置１００の表示制御を示す表示遷移説明図である。
本発明の第２実施例に係る情報選択方法を実現するための各情報を配置するレイアウトを構成するためのルールを、第２のレイアウトルールとする。
第２実施例は第１実施例と比較して、その表示制御の一部が異なるのみであるので、第１実施例との差異部分のみについて説明する。
【０１３１】
第２実施例においては、分割度と操作速度との関係が第１実施例と異なる。
０＜操作速度＝＜ｖ３の時、第５の操作速度レベルであるとして、分割度を４とする。
ｖ３＜操作速度の時、第６の操作速度レベルであるとして、分割度を１２とする。
操作速度＝０の時、第１の操作速度レベルであるとして、その分割度は第１実施例と同様である。
【０１３２】
分割度が４の時、その操作速度は、第１実施例と同様にして、その所要時間ｔに基づき、操作速度＝９０度／ｔである。
分割度が１２の時、その操作速度は、第１実施例と同様にして、その所要時間ｔに基づき、操作速度＝３０度／ｔである。
操作方向及び操作速度が判断されるタイミングについても、第１実施例と同様である。
【０１３３】
図１３（ａ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域１にカーソルが重畳表示されている様子を示している。
【０１３４】
この時、方向操作入力部１５Ｇに第６の操作速度レベルで＋方向の操作方向が入力されると、表示が図１３（ｂ）に示すように遷移する。
【０１３５】
つまり、この操作速度及び操作方向の入力に基づき、新たなレイアウトが設定される。
また、このレイアウトの設定に伴い、設定された各情報表示領域に、第２のレイアウトルールに基づき領域順番を付与する。
この場合、初期領域順番は６、初期情報順番は５、先頭情報順番は２、である。
初期領域順番は、カーソルの操作角度に基づき設定されている。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０１３６】
図１３（ｂ）は、メイン表示部１７に、分割度ｓ＝４として４つの情報表示領域を有するレイアウト中に、分割度ｓ＝１２として１２の情報表示領域を有するレイアウトを重ねて設定されたレイアウトである。
すなわち、図１３（ａ）において分割度ｓ＝４であったレイアウトについて、カーソルが移動された情報表示領域に係る分割度ｓ＝４に係る箇所に、分割度ｓ＝１２に係るレイアウトを組み込んだものである。
この時、各情報表示領域の番号は、左上に位置する情報６にかかる情報表示領域を１番として、時計回りに番号を再設定される。
つまり、情報６が表示されているのは情報表示領域１、情報７が表示されているのは情報表示領域２、情報２が表示されているのは情報表示領域３、・・・、情報５が表示されているのは情報表示領域６、のように順次設定される。
【０１３７】
この時、方向操作入力部１５Ｇに第５又は第６の操作速度レベルで＋方向の操作方向が入力されると、表示が図１３（ｃ）に示すように遷移する。
【０１３８】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１３９】
図１３（ｃ）は、メイン表示部１７に、図１３（ｂ）と同様のレイアウトにおいて、同様の情報を表示しているが、カーソルの位置が異なるものである。
【０１４０】
この時、方向操作入力部１５Ｇに第５又は第６の操作速度レベルで＋方向の操作方向が入力されると、表示が図１３（ｄ）に示すように遷移する。
【０１４１】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１４２】
図１３（ｄ）は、メイン表示部１７に、図１３（ｃ）と同様のレイアウトにおいて、同様の情報を表示しているが、カーソルの位置が異なるものである。
【０１４３】
この時、方向操作入力部１５Ｇに第６の操作速度レベルで＋方向の操作方向が入力されると、表示が図１３（ｅ）に示すように遷移する。
【０１４４】
つまり、この操作速度及び操作方向の入力に基づき、新たなレイアウトが設定される。
また、このレイアウトの設定に伴い、設定された各情報表示領域に、第２のレイアウトルールに基づき領域順番を付与する。
この場合、初期領域順番は３、初期情報順番は８、先頭情報順番は３、である。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０１４５】
図１３（ｅ）は、メイン表示部１７に、分割度ｓ＝４として４つの情報表示領域を有するレイアウト中に、分割度ｓ＝１２として１２の情報表示領域を有するレイアウトを重ねて設定されたレイアウトである。
すなわち、図１３（ｄ）において分割度ｓ＝４であったレイアウトについて、カーソルが移動された情報表示領域に係る分割度ｓ＝４に係る箇所に、分割度ｓ＝１２に係るレイアウトを組み込んだものである。
この時、各情報表示領域の番号は、左上に位置する情報６にかかる情報表示領域を１番として、時計回りに番号を再設定される。
つまり、情報６が表示されているのは情報表示領域１、情報７が表示されているのは情報表示領域２、情報２が表示されているのは情報表示領域３、情報８が表示されているのは情報表示領域４、・・・、情報３が表示されているのは情報表示領域６、・・・、情報５が表示されているのは情報表示領域８、のように順次設定される。
【０１４６】
この時、方向操作入力部１５Ｇに第５又は第６の操作速度レベルで＋方向の操作方向が入力されると、表示が図１３（ｆ）に示すように遷移する。
【０１４７】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１４８】
図１３（ｆ）は、メイン表示部１７に、図１３（ｅ）と同様のレイアウトにおいて、同様の情報を表示しているが、カーソルの位置が異なるものである。
【０１４９】
この時、方向操作入力部１５Ｇに第５又は第６の操作速度レベルで＋方向の操作方向が入力されると、表示が図１３（ｇ）に示すように遷移する。
【０１５０】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１５１】
図１３（ｇ）は、メイン表示部１７に、図１３（ｆ）と同様のレイアウトにおいて、同様の情報を表示しているが、カーソルの位置が異なるものである。
【０１５２】
この時、方向操作入力部１５Ｇに第６の操作速度レベルで＋方向の操作方向が入力されると、表示が図１３（ｈ）に示すように遷移する。
【０１５３】
つまり、この操作速度及び操作方向の入力に基づき、新たなレイアウトが設定される。
また、このレイアウトの設定に伴い、設定された各情報表示領域に、第２のレイアウトルールに基づき領域順番を付与する。
この場合、初期領域順番は６、初期情報順番は１１、先頭情報順番は４、である。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０１５４】
図１３（ｈ）は、メイン表示部１７に、分割度ｓ＝４として４つの情報表示領域を有するレイアウト中に、分割度ｓ＝１２として１２の情報表示領域を有するレイアウトを重ねて設定されたレイアウトである。
すなわち、図１３（ｇ）において分割度ｓ＝４であったレイアウトについて、カーソルが移動された情報表示領域に係る分割度ｓ＝４に係る箇所に、分割度ｓ＝１２に係るレイアウトを組み込んだものである。
この時、各情報表示領域の番号は、左上に位置する情報６にかかる情報表示領域を１番として、時計回りに番号を再設定される。
つまり、情報６が表示されているのは情報表示領域１、情報７が表示されているのは情報表示領域２、情報２が表示されているのは情報表示領域３、情報８が表示されているのは情報表示領域４、・・・、情報１１が表示されているのは情報表示領域６、・・・、情報４が表示されているのは情報表示領域９、情報５が表示されているのは情報表示領域１０、のように順次設定される。
【０１５５】
この時、方向操作入力部１５Ｇに第５又は第６の操作速度レベルで＋方向の操作方向が入力されると、表示が図１３（ｉ）に示すように遷移する。
【０１５６】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１５７】
図１３（ｉ）は、メイン表示部１７に、図１３（ｈ）と同様のレイアウトにおいて、同様の情報を表示しているが、カーソルの位置が異なるものである。
【０１５８】
この時、方向操作入力部１５Ｇに第５又は第６の操作速度レベルで＋方向の操作方向が入力されると、表示が図１３（ｊ）に示すように遷移する。
【０１５９】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１６０】
図１３（ｊ）は、メイン表示部１７に、図１３（ｉ）と同様のレイアウトにおいて、同様の情報を表示しているが、カーソルの位置が異なるものである。
【０１６１】
この時、方向操作入力部１５Ｇに第６の操作速度レベルで＋方向の操作方向が入力されると、表示が図１３（ｋ）に示すように遷移する。
【０１６２】
つまり、この操作速度及び操作方向の入力に基づき、新たなレイアウトが設定される。
また、このレイアウトの設定に伴い、設定された各情報表示領域に、第２のレイアウトルールに基づき領域順番を付与する。
この場合、初期領域順番は９、初期情報順番は１４、先頭情報順番は５、である。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０１６３】
図１３（ｋ）は、メイン表示部１７に、分割度ｓ＝４として４つの情報表示領域を有するレイアウト中に、分割度ｓ＝１２として１２の情報表示領域を有するレイアウトを重ねて設定されたレイアウトである。
すなわち、図１３（ｊ）において分割度ｓ＝４であったレイアウトについて、カーソルが移動された情報表示領域に係る分割度ｓ＝４に係る箇所に、分割度ｓ＝１２に係るレイアウトを組み込んだものである。
この時、各情報表示領域の番号は、左上に位置する情報６にかかる情報表示領域を１番として、時計回りに番号を再設定される。
つまり、情報６が表示されているのは情報表示領域１、情報７が表示されているのは情報表示領域２、情報２が表示されているのは情報表示領域３、情報８が表示されているのは情報表示領域４、・・・、情報１１が表示されているのは情報表示領域６、・・・、情報１４が表示されているのは情報表示領域９、情報５が表示されているのは情報表示領域１２、のように順次設定される。
【０１６４】
この時、方向操作入力部１５Ｇに第５又は第６の操作速度レベルで＋方向の操作方向が入力されると、表示が図１３（ｌ）に示すように遷移する。
【０１６５】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１６６】
図１３（ｌ）は、メイン表示部１７に、図１３（ｋ）と同様のレイアウトにおいて、同様の情報を表示しているが、カーソルの位置が異なるものである。
【０１６７】
この時、方向操作入力部１５Ｇに第５又は第６の操作速度レベルで＋方向の操作方向が入力されると、表示が図１３（ｍ）に示すように遷移する。
【０１６８】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１６９】
図１３（ｍ）は、メイン表示部１７に、図１３（ｌ）と同様のレイアウトにおいて、同様の情報を表示しているが、カーソルの位置が異なるものである。
【０１７０】
この時、方向操作入力部１５Ｇに第６の操作速度レベルで＋方向の操作方向が入力されると、表示が図１３（ｎ）に示すように遷移する。
【０１７１】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動に伴い、更新されるようにして表示されている。
【０１７２】
図１３（ｎ）は、メイン表示部１７に、図１３（ｌ）と同様のレイアウトにおいて、同様の情報を表示しているが、カーソルの位置が異なると共に、情報表示領域１２に表示していた情報５を情報１６より番号を一つ増加させた情報１７を更新して表示させたものである。
【０１７３】
この時、方向操作入力部１５Ｇに第５又は第６の操作速度レベルで＋方向の操作方向が入力されると、表示が図１３（ｏ）に示すように遷移する。
【０１７４】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動に伴い、更新されるようにして表示されている。
【０１７５】
図１３（ｏ）は、メイン表示部１７に、図１３（ｎ）と同様のレイアウトにおいて、同様の情報を表示しているが、カーソルの位置が異なると共に、情報表示領域１に表示していた情報６を情報１７より番号を一つ増加させた情報１８を更新して表示させたものである。
【０１７６】
以上に＋方向の操作があったときの表示制御について記載した。
これは、−方向の操作があったときの表示制御についても同様である。
【０１７７】
＜２−２．第２の情報選択方法に係るフローチャート＞
第２の情報選択方法に係るフローチャートは、基本的に第１の情報選択方法に係るフローチャートと同様である。
従って、その差異部分のみについて説明する。
【０１７８】
図９と共に前述したステップｓ１２において、第１実施例では、図１０を参照して前述したサブルーチンを実行したが、第２実施例では、図１４を参照して後述するサブルーチンを実行する。
【０１７９】
図９と共に前述したステップｓ１３において、第１実施例では、図１０を参照して前述したサブルーチンの判断結果に基づき処理を行なっていたが、第２実施例では、図１４を参照して後述するサブルーチンの判断結果に基づき処理を行う。
【０１８０】
図９と共に前述したステップｓ１５において、第１実施例では、図６を用いてその動作を例示しているが、第２実施例では、図１３を用いてその動作を例示する。
図１３（ｄ）から図１３（ｅ）へと遷移する場合は、カーソルの移動に伴い未表示の情報である情報８、情報９、及び、情報１０を読み出す必要があると判断する。
図１３（ｍ）から図１３（ｎ）へと遷移する場合は、カーソルの移動に伴い未表示の情報である情報１７を読み出す必要があると判断する。
図１３（ｂ）から図６（ｃ）へと遷移する場合は、カーソルの移動に伴い未表示の情報は無いことから、新たな情報を読み出す必要は無いと判断する。
【０１８１】
図１０と共に前述したステップｓ２２において、第１実施例では、図８と共に説明した操作速度と分割度との対応関係に基づき、メイン表示部１７に表示する分割度ｓ´を設定しているが、第２実施例では、上記に説明した操作速度と分割度との対応関係に基づき、メイン表示部１７に表示する分割度ｓ´を設定する。
【０１８２】
図１４は、上記した第２実施例に係る情報選択装置１００のレイアウト変更判断制御の手順を示すサブルーチンに係るフローチャートである。
【０１８３】
[ステップｓ２１−２：操作速度算出]
制御部１３Ａは、上記した算出方法により、操作速度を算出する。
制御部１３Ａは、フローチャートをステップｓ２２−２に進める。
【０１８４】
[ステップｓ２２−２：操作速度に基づき新たな分割度ｓ´を設定]
制御部１３Ａは、上記に説明した操作速度と分割度との対応関係に基づき、メイン表示部１７に表示する分割度ｓ´を設定する。
制御部１３Ａは、フローチャートをステップｓ２３−２に進める。
【０１８５】
[ステップｓ２３−２：現在の分割度ｓと新たな分割度ｓ´との関係？]
制御部１３Ａは、ステップｓ１１にてカーソルの移動を検出した時点でメイン表示部１７に表示している情報表示領域の中で、カーソルの移動先に係る分割度ｓと、ステップｓ２２−２にて設定された分割度ｓ´と、を比較する。
制御部１３Ａは、レイアウト変更が不可能な時、又は、分割度ｓと分割度ｓ´とが等しい時、フローチャートをステップｓ２４に進める。
制御部１３Ａは、レイアウト変更が可能な時で、且つ、分割度ｓと分割度ｓ´とが等しくない時、フローチャートをステップｓ２５に進める。
【０１８６】
上記した図１３を参照して以下にその具体例を例示する。
図１３（ａ）から図１３（ｂ）に遷移するタイミングは、図１３（ａ）において情報１を表示している領域に係る分割度を４にも分割度を１２にも設定変更可能なタイミングであり、レイアウト変更が可能な時である。
図１３（ｂ）から図１３（ｃ）に遷移するタイミングは、如何なる操作速度が入力されたとしても、その分割度を変更したレイアウトに設定することは出来ないので、レイアウト変更が不可能な時である。
図１３（ａ）から図１３（ｂ）に遷移するタイミングは、カーソルの移動先に係る分割数ｓである４と、ステップｓ２２−２にて設定された分割度ｓ´である１２と、が等しくない時である。
図１３（ｍ）から図１３（ｎ）に遷移するタイミングは、カーソルの移動先に係る分割数ｓである１２と、ステップｓ２２−２にて設定された分割度ｓ´である１２と、が等しい時である。
【０１８７】
[ステップｓ２４：レイアウト変更無し]
制御部１３Ａは、レイアウトの変更は無いものと判断する。
制御部１３Ａは、フローチャートをメインルーチンのステップｓ１２に戻す。
【０１８８】
[ステップｓ２５：レイアウト変更有り]
制御部１３Ａは、レイアウトの変更が有るものと判断する。
制御部１３Ａは、フローチャートをメインルーチンのステップｓ１２に戻す。
【０１８９】
（第３実施例）
＜３−１．第３の情報選択方法＞
図１５及び図１６は、本発明の第３実施例に係る情報選択装置１００の表示制御を示す表示遷移説明図である。
本発明の第３実施例に係る情報選択方法を実現するための各情報を配置するレイアウトを構成するためのルールを、第３のレイアウトルールとする。
第３実施例は第１実施例と比較して、その表示制御の一部が異なるのみであるので、第１実施例との差異部分のみについて説明する。
【０１９０】
第３実施例においては、分割度と操作速度との関係が第１実施例と異なる。
０＜操作速度＝＜ｖ４の時、第７の操作速度レベルであるとして、分割度を４とする。
ｖ４＜操作速度＝＜ｖ５の時、第８の操作速度レベルであるとして、分割度を２０とする。
ｖ５＜操作速度の時、第９の操作速度レベルであるとして、分割度を９０とする。
操作速度＝０の時、第１の操作速度レベルであるとして、その分割度は第１実施例と同様である。
【０１９１】
分割度が４の時、その操作速度は、その所要時間ｔに基づき、操作速度＝４／ｔである。
分割度が２０の時、その操作速度は、その所要時間ｔに基づき、操作速度＝２／ｔである。
分割度が９０の時、その操作速度は、その所要時間ｔに基づき、操作速度＝１／ｔである。
操作方向及び操作速度が判断されるタイミングについては、第１実施例と同様である。
【０１９２】
第３実施例においては、各情報表示領域の番号の設定方法が第１実施例と異なる。
第１実施例においては、メイン表示部１７に表示した左上の情報表示領域の番号を１番として、時計回りに順番に１ずつ番号が増加するように、各情報表示領域に番号を設定していた。
しかし第３実施例においては、メイン表示部１７に表示した左上の情報表示領域の番号を１番として、左から右へ、そして右端の情報表示領域に到達したら、一段下の行の左端の情報表示領域へ、そしてまた左から右へ、そして右端の情報表示領域に到達したら、一段下の行の左端の情報表示領域へ、・・・と順番に１ずつ番号が増加するように、各情報表示領域に番号を設定する。
【０１９３】
図１５は、段階的に操作速度を上げるように操作速度の入力が行なわれた場合の表示制御を示す表示遷移説明図である。
【０１９４】
図１５（ａ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域１にカーソルが重畳表示されている様子を示している。
【０１９５】
この時、方向操作入力部１５Ｇに第７の操作速度レベルで＋方向の操作方向が入力されると、表示が図１５（ｂ）に示すように遷移する。
【０１９６】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０１９７】
図１５（ｂ）は、メイン表示部１７に、分割度ｓ＝４として４つの情報表示領域を有するレイアウトを設定し、情報表示領域１に情報１、情報表示領域２に情報２、情報表示領域３に情報３、情報表示領域４に情報４、を表示させ、情報表示領域２にカーソルが重畳表示されている様子を示している。
【０１９８】
この時、方向操作入力部１５Ｇに第８の操作速度レベルで＋方向の操作方向が入力されると、表示が図１５（ｃ）に示すように遷移する。
【０１９９】
つまり、この操作速度及び操作方向の入力に基づき、新たなレイアウトが設定される。
また、このレイアウトの設定に伴い、設定された各情報表示領域に、第３のレイアウトルールに基づき領域順番を付与する。
この場合、初期領域順番は３、初期情報順番は３、先頭情報順番は１、である。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０２００】
この時、カーソルが位置していた情報表示領域に係る分割度である４と、方向操作入力部１５Ｇに入力された操作速度レベルに係る分割度である２０と、において分割度の差異が生じた。
これにより、カーソルが位置していた情報表示領域以降で＋方向の操作方向に係る全ての情報表示領域に係る分割度を変更するように、情報表示領域のレイアウトを変更している。
【０２０１】
図１５（ｃ）は、メイン表示部１７に、左上から、分割度ｓ＝４とした２つの情報表示領域を、続けて分割度ｓ＝２０とした１０の情報表示領域を、有するレイアウトを設定し、情報表示領域１に情報１、情報表示領域２に情報２、・・・、情報表示領域１３に情報１３、を表示させ、情報表示領域３にカーソルが重畳表示されている様子を示している。
【０２０２】
この時、方向操作入力部１５Ｇに第８の操作速度レベルで＋方向の操作方向が入力されると、表示が図１５（ｄ）に示すように遷移する。
【０２０３】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２０４】
図１５（ｄ）は、メイン表示部１７に、左上から、分割度ｓ＝４とした２つの情報表示領域を、続けて分割度ｓ＝２０とした１０の情報表示領域を、有するレイアウトを設定し、情報表示領域１に情報１、情報表示領域２に情報２、・・・、情報表示領域１３に情報１３、を表示させ、情報表示領域４にカーソルが重畳表示されている様子を示している。
【０２０５】
この時、方向操作入力部１５Ｇに第８の操作速度レベルで＋方向の操作方向が入力されると、表示が図１５（ｅ）に示すように遷移する。
【０２０６】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２０７】
図１５（ｅ）は、メイン表示部１７に、左上から、分割度ｓ＝４とした２つの情報表示領域を、続けて分割度ｓ＝２０とした１０の情報表示領域を、有するレイアウトを設定し、情報表示領域１に情報１、情報表示領域２に情報２、・・・、情報表示領域１３に情報１３、を表示させ、情報表示領域５にカーソルが重畳表示されている様子を示している。
【０２０８】
この時、方向操作入力部１５Ｇに第９の操作速度レベルで＋方向の操作方向が入力されると、表示が図１５（ｆ）に示すように遷移する。
【０２０９】
つまり、この操作速度及び操作方向の入力に基づき、新たなレイアウトが設定される。
また、このレイアウトの設定に伴い、設定された各情報表示領域に、第３のレイアウトルールに基づき領域順番を付与する。
この場合、初期領域順番は６、初期情報順番は６、先頭情報順番は１、である。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０２１０】
この時、カーソルが位置していた情報表示領域に係る分割度である２０と、方向操作入力部１５Ｇに入力された操作速度レベルに係る分割度である９０と、において分割度の差異が生じた。
これにより、カーソルが位置していた情報表示領域以降で＋方向の操作方向に係る全ての情報表示領域に係る分割度を変更するように、情報表示領域のレイアウトを変更している。
【０２１１】
図１５（ｆ）は、メイン表示部１７に、左上から、分割度ｓ＝４とした２つの情報表示領域を、続けて分割度ｓ＝２０とした３つの情報表示領域を、続けて分割度９０とした３６の情報表示領域を、有するレイアウトを設定し、情報表示領域１に情報１、情報表示領域２に情報２、・・・、情報表示領域４１に情報４１、を表示させ、情報表示領域６にカーソルが重畳表示されている様子を示している。
【０２１２】
この時、方向操作入力部１５Ｇに第９の操作速度レベルで＋方向の操作方向が入力されると、表示が図１５（ｇ）に示すように遷移する。
【０２１３】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２１４】
図１５（ｇ）は、メイン表示部１７に、左上から、分割度ｓ＝４とした２つの情報表示領域を、続けて分割度ｓ＝２０とした３つの情報表示領域を、続けて分割度９０とした３６の情報表示領域を、有するレイアウトを設定し、情報表示領域１に情報１、情報表示領域２に情報２、・・・、情報表示領域４１に情報４１、を表示させ、情報表示領域７にカーソルが重畳表示されている様子を示している。
【０２１５】
この時、方向操作入力部１５Ｇに第９の操作速度レベルで＋方向の操作方向が入力されると、表示が図１５（ｈ）に示すように遷移する。
【０２１６】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２１７】
図１５（ｈ）は、メイン表示部１７に、左上から、分割度ｓ＝４とした２つの情報表示領域を、続けて分割度ｓ＝２０とした３つの情報表示領域を、続けて分割度９０とした３６の情報表示領域を、有するレイアウトを設定し、情報表示領域１に情報１、情報表示領域２に情報２、・・・、情報表示領域４１に情報４１、を表示させ、情報表示領域７にカーソルが重畳表示されている様子を示している。
【０２１８】
この時、方向操作入力部１５Ｇに第９の操作速度レベルで＋方向の操作方向が入力されると、表示が図１５（ｉ）に示すように遷移する。
【０２１９】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２２０】
図１５（ｉ）は、メイン表示部１７に、左上から、分割度ｓ＝４とした２つの情報表示領域を、続けて分割度ｓ＝２０とした３つの情報表示領域を、続けて分割度９０とした３６の情報表示領域を、有するレイアウトを設定し、情報表示領域１に情報１、情報表示領域２に情報２、・・・、情報表示領域４１に情報４１、を表示させ、情報表示領域７にカーソルが重畳表示されている様子を示している。
【０２２１】
図１６は、段階的に操作速度を下げるように操作速度の入力が行なわれた場合の表示制御を示す表示遷移説明図である。
【０２２２】
図１６（ａ）は、メイン表示部１７に、分割度ｓ＝９０として９０の情報表示領域を有するレイアウトを設定し、情報表示領域１に情報１、情報表示領域２に情報２、・・・、情報表示領域９０に情報９０、を表示させ、情報表示領域９にカーソルが重畳表示されている様子を示している。
【０２２３】
この時、方向操作入力部１５Ｇに第９の操作速度レベルで＋方向の操作方向が入力されると、表示が図１６（ｂ）に示すように遷移する。
【０２２４】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２２５】
図１６（ｂ）は、メイン表示部１７に、分割度ｓ＝９０として９０の情報表示領域を有するレイアウトを設定し、情報表示領域１に情報１、情報表示領域２に情報２、・・・、情報表示領域９０に情報９０、を表示させ、情報表示領域１０にカーソルが重畳表示されている様子を示している。
【０２２６】
この時、方向操作入力部１５Ｇに第８の操作速度レベルで＋方向の操作方向が入力されると、表示が図１６（ｃ）に示すように遷移する。
【０２２７】
つまり、この操作速度及び操作方向の入力に基づき、新たなレイアウトが設定される。
また、このレイアウトの設定に伴い、設定された各情報表示領域に、第３のレイアウトルールに基づき領域順番を付与する。
この場合、初期領域順番は１１、初期情報順番は１１、先頭情報順番は１、である。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０２２８】
この時、カーソルが位置していた情報表示領域に係る分割度である９０と、方向操作入力部１５Ｇに入力された操作速度レベルに係る分割度である２０と、において分割度の差異が生じた。
これにより、カーソルが位置していた情報表示領域以降で＋方向の操作方向に係る全ての情報表示領域に係る分割度を変更するように、情報表示領域のレイアウトを変更している。
【０２２９】
図１６（ｃ）は、メイン表示部１７に、左上から、分割度ｓ＝９０とした１０の情報表示領域を、続けて分割度ｓ＝２０とした２０の情報表示領域を、有するレイアウトを設定し、情報表示領域１に情報１、情報表示領域２に情報２、・・・、情報表示領域３０に情報３０、を表示させ、情報表示領域１１にカーソルが重畳表示されている様子を示している。
【０２３０】
この時、方向操作入力部１５Ｇに第８の操作速度レベルで＋方向の操作方向が入力されると、表示が図１６（ｄ）に示すように遷移する。
【０２３１】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２３２】
図１６（ｄ）は、メイン表示部１７に、左上から、分割度ｓ＝９０とした１０の情報表示領域を、続けて分割度ｓ＝２０とした２０の情報表示領域を、有するレイアウトを設定し、情報表示領域１に情報１、情報表示領域２に情報２、・・・、情報表示領域３０に情報３０、を表示させ、情報表示領域１２にカーソルが重畳表示されている様子を示している。
【０２３３】
この時、方向操作入力部１５Ｇに第８の操作速度レベルで＋方向の操作方向が入力されると、表示が図１６（ｅ）に示すように遷移する。
【０２３４】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２３５】
図１６（ｅ）は、メイン表示部１７に、左上から、分割度ｓ＝９０とした１０の情報表示領域を、続けて分割度ｓ＝２０とした２０の情報表示領域を、有するレイアウトを設定し、情報表示領域１に情報１、情報表示領域２に情報２、・・・、情報表示領域３０に情報３０、を表示させ、情報表示領域１３にカーソルが重畳表示されている様子を示している。
【０２３６】
この時、方向操作入力部１５Ｇに第７の操作速度レベルで＋方向の操作方向が入力されると、表示が図１６（ｆ）に示すように遷移する。
【０２３７】
つまり、この操作速度及び操作方向の入力に基づき、新たなレイアウトが設定される。
また、このレイアウトの設定に伴い、設定された各情報表示領域に、第３のレイアウトルールに基づき領域順番を付与する。
この場合、初期領域順番は１４、初期情報順番は１４、先頭情報順番は１、である。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０２３８】
この時、カーソルが位置していた情報表示領域に係る分割度である２０と、方向操作入力部１５Ｇに入力された操作速度レベルに係る分割度である４と、において分割度の差異が生じた。
これにより、カーソルが位置していた情報表示領域以降で＋方向の操作方向に係る全ての情報表示領域に係る分割度を変更するように、情報表示領域のレイアウトを変更している。
【０２３９】
図１６（ｆ）は、メイン表示部１７に、左上から、分割度ｓ＝９０とした１０の情報表示領域を、続けて分割度ｓ＝２０とした３つの情報表示領域を、続けて分割度ｓ＝４とした３つの情報表示領域を、有するレイアウトを設定し、情報表示領域１に情報１、情報表示領域２に情報２、・・・、情報表示領域１６に情報１６、を表示させ、情報表示領域１４にカーソルが重畳表示されている様子を示している。
【０２４０】
この時、方向操作入力部１５Ｇに第７の操作速度レベルで＋方向の操作方向が入力されると、表示が図１６（ｇ）に示すように遷移する。
【０２４１】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２４２】
図１６（ｇ）は、メイン表示部１７に、左上から、分割度ｓ＝９０とした１０の情報表示領域を、続けて分割度ｓ＝２０とした３つの情報表示領域を、続けて分割度ｓ＝４とした３つの情報表示領域を、有するレイアウトを設定し、情報表示領域１に情報１、情報表示領域２に情報２、・・・、情報表示領域１６に情報１６、を表示させ、情報表示領域１５にカーソルが重畳表示されている様子を示している。
【０２４３】
この時、方向操作入力部１５Ｇに第７の操作速度レベルで＋方向の操作方向が入力されると、表示が図１６（ｈ）に示すように遷移する。
【０２４４】
つまり、この操作速度及び操作方向の入力に基づき、領域順番が１つ増加した情報表示領域にカーソルが移動される。
カーソルの移動後の情報表示領域には、移動前の情報表示領域より情報順番が１つ増加した情報が表示されている。
この情報は、カーソルの移動前より表示されている情報をそのまま表示しつづけているものであるが、カーソルの移動に伴い、再度更新して表示されるようにしても構わない。
【０２４５】
図１６（ｈ）は、メイン表示部１７に、左上から、分割度ｓ＝９０とした１０の情報表示領域を、続けて分割度ｓ＝２０とした３つの情報表示領域を、続けて分割度ｓ＝４とした３つの情報表示領域を、有するレイアウトを設定し、情報表示領域１に情報１、情報表示領域２に情報２、・・・、情報表示領域１６に情報１６、を表示させ、情報表示領域１６にカーソルが重畳表示されている様子を示している。
【０２４６】
この時、方向操作入力部１５Ｇに第７の操作速度レベルで＋方向の操作方向が入力されると、表示が図１６（ｉ）に示すように遷移する。
【０２４７】
つまり、この操作速度及び操作方向の入力に基づき、新たなレイアウトが設定される。
また、このレイアウトの設定に伴い、設定された各情報表示領域に、第３のレイアウトルールに基づき領域順番を付与する。
この場合、初期領域順番は１、初期情報順番は１７、先頭情報順番は１７、である。
カーソル移動前のレイアウトにおいてカーソルが位置していた情報表示領域の領域番号１６が、レイアウト中で最大であった。
また、新たなレイアウトにおいて、領域番号を１つ増加した領域番号１７に係る情報表示領域を設定できなかった。
それなので、初期領域順番を、新たなレイアウトにおける最初の領域順番である１に係る情報表示領域に設定している。
そして、これらの設定に基づき、レイアウト上の各情報表示領域に、各情報と選択表示が配置される。
そして、領域順番が１つ増加した情報表示領域にカーソルが配置される。
カーソルの移動後の情報表示領域には、移動前の情報表示領域より情報順番が１つ増加した情報が表示されている。
この情報は、カーソルの移動に伴い、更新して表示されているものである。
【０２４８】
この時、カーソルが位置する情報表示領域よりも番号の大きな情報表示領域は存在していない。
よって、メイン表示部１７の表示をクリアして、方向操作入力部１５Ｇにより入力された第７の操作速度レベルに係る分割度ｓ＝４に基づき、全ての領域を設定する。
そして、その全ての領域の設定に基づき、情報表示領域の番号が一番小さい情報表示領域１にカーソルを移動させる。
【０２４９】
図１６（ｉ）は、メイン表示部１７に、左上から、分割度ｓ＝４とした４つの情報表示領域を、有するレイアウトを設定し、情報表示領域１に情報１７、情報表示領域２に情報１８、情報表示領域３に情報１９、情報表示領域１６に情報２０、を表示させ、情報表示領域１７にカーソルが重畳表示されている様子を示している。
【０２５０】
以上に＋方向の操作があったときの表示制御について記載した。
これは、−方向の操作があったときの表示制御についても同様である。
【０２５１】
なお、上記においては、操作速度レベルが徐々に変わるように変更された状態について記載した。
しかし、操作速度レベルは、第１の操作速度レベルから、所定の操作速度レベルを飛び越して、いきなり第８又は第９の操作速度レベルが入力されても構わない。
この時、情報表示領域は入力された操作速度レベルに係る分割度を満たすように表示制御される。
【０２５２】
なお、上記においては、操作速度レベルが変化するにつれ情報表示領域の大きさが４分の１になる構成例を記載したが、本発明はこれに限定されない。
例えば、操作速度レベルがより細かく設定可能である場合には、操作速度レベルの変化に応じて徐々に情報表示領域の大きさが変化する構成であっても構わない。
より具体的には、操作速度が少し大きくなるだけで操作速度レベルが一つ大きなものに設定され、これに基づき情報表示領域の大きさが少しだけ小さくなる構成であっても構わない。
このように構成することで、より細かく条件を設定した上での情報検索が可能となる。
【０２５３】
なお、操作速度レベルが変化しないと共に、操作方向の入力もない場合、であって、更に操作角度の入力があった場合、操作角度のみに基づいて、情報が選択されても良い。
つまり、外部記録装置１４Ｂに記録されている全情報の情報番号と、操作角度とが対応するように、情報が選択されても良い。
つまり、例えば、操作角度として９０度が入力されると、情報順番が全情報順番の内で、最初から１／４に該当する情報が選択されるように構成されても良い。
【０２５４】
＜３−２．第３の情報選択方法に係るフローチャート＞
第３の情報選択方法に係るフローチャートは、基本的に第１の情報選択方法に係るフローチャートと同様である。
従って、その差異部分のみについて説明する。
【０２５５】
図９と共に前述したステップｓ１２において、第１実施例では、図１０を参照して前述したサブルーチンを実行したが、第３実施例では、図１７を参照して後述するサブルーチンを実行する。
【０２５６】
図９と共に前述したステップｓ１３において、第１実施例では、図１０を参照して前述したサブルーチンの判断結果に基づき処理を行なっていたが、第３実施例では、図１７を参照して後述するサブルーチンの判断結果に基づき処理を行う。
【０２５７】
図９と共に前述したステップｓ１５において、第１実施例では、図６を用いてその動作を例示しているが、第３実施例では、図１５及び図１６を用いてその動作を例示する。
図１５（ｂ）から図１５（ｃ）へと遷移する場合は、カーソルの移動に伴い未表示の情報である情報５乃至情報１３を読み出す必要があると判断する。
図１５（ｃ）から図１５（ｄ）へと遷移する場合は、カーソルの移動に伴う未表示の情報は無いことから、新たな情報を読み出す必要は無いと判断する。
図１６（ｂ）から図１６（ｃ）へと遷移する場合は、カーソルの移動に伴い表示のレイアウトが変更されるが、そこに表示される情報は全て既に一時記録装置１４Ｄに読み出されていることから、新たな情報を読み出す必要は無いと判断する。
図１６（ｈ）から図１６（ｉ）へと遷移する場合も、カーソルの移動に伴い表示のレイアウトが変更されるが、そこに表示される情報は全て既に一時記録装置１４Ｄに読み出されていることから、新たな情報を読み出す必要は無いと判断する。
【０２５８】
図１０と共に前述したステップｓ２２において、第１実施例では、図８と共に説明した操作速度と分割度との対応関係に基づき、メイン表示部１７に表示する分割度ｓ´を設定しているが、第３実施例では、上記に説明した操作速度と分割度との対応関係に基づき、メイン表示部１７に表示する分割度ｓ´を設定する。
【０２５９】
図１７は、上記した第３実施例に係る情報選択装置１００のレイアウト変更判断制御の手順を示すサブルーチンに係るフローチャートである。
【０２６０】
[ステップｓ２１−３：操作速度算出]
制御部１３Ａは、上記した算出方法により、操作速度を算出する。
制御部１３Ａは、フローチャートをステップｓ２２−３に進める。
【０２６１】
[ステップｓ２２−３：操作速度に基づき新たな分割度ｓ´を設定]
制御部１３Ａは、上記に説明した操作速度と分割度との対応関係に基づき、メイン表示部１７に表示する分割度ｓ´を設定する。
制御部１３Ａは、フローチャートをステップｓ２３−３に進める。
【０２６２】
[ステップｓ２３−３：現在の分割度ｓと新たな分割度ｓ´との関係？]
制御部１３Ａは、ステップｓ１１にてカーソルの移動を検出した時点でメイン表示部１７に表示している情報表示領域の中で、カーソルの移動先に係る分割度ｓと、ステップｓ２２−３にて設定された分割度ｓ´と、を比較する。
制御部１３Ａは、分割度ｓと分割度ｓ´が等しい時、フローチャートをステップｓ２４に進める。
制御部１３Ａは、分割度ｓと分割度ｓ´が等しくない時、フローチャートをステップｓ２５に進める。
【０２６３】
上記した図１５及び図１６を参照して以下にその具体例を例示する。
図１５（ａ）から図１５（ｂ）に遷移するタイミングは、カーソルの移動先に係る分割数ｓである４と、ステップｓ２２−３にて設定された分割数ｓ´である４と、が等しい時である。
図１６（ｅ）から図１６（ｆ）に遷移するタイミングは、カーソルの移動先に係る分割数ｓである２０と、ステップｓ２２−３にて設定された分割数ｓ´である４と、が等しくない時である。
【０２６４】
[ステップｓ２４：レイアウト変更無し]
制御部１３Ａは、レイアウトの変更は無いものと判断する。
制御部１３Ａは、フローチャートをメインルーチンのステップｓ１２に戻す。
【０２６５】
[ステップｓ２５：レイアウト変更有り]
制御部１３Ａは、レイアウトの変更が有るものと判断する。
制御部１３Ａは、フローチャートをメインルーチンのステップｓ１２に戻す。
【０２６６】
（補記）
なお、上述の通り、第１乃至第３実施例において、第１乃至第３の情報選択方法を開示したが、これらは切り替えて使用されても構わない。
具体的には、以下のように設定変更されても構わない。
まず、使用者（ユーザ）は、モード設定部１５Ｃにより表示モードが設定されている場合に、メニュー操作部１５Ｅの押下に基づきメニュー画面を表示する。
次に、使用者は、移動操作部１５Ｄにより所定のーソルを移動させて、上述した第１乃至第３の情報選択方法の中から１つを選択して、決定指示部１５Ｂに基づき情報選択方法の決定指示を行う。
このようにすれば、複数の情報選択方法を選択的に使用して、情報の選択を行うことが可能となる。
【０２６７】
なお、上記実施例においては、外部記録装置１４Ｂに記録されている情報１乃至情報１００は、その情報に係る番号が連続していたが、実際はそのようではなくとも構わない。
例えば、番号１に係る情報１、番号２に係る情報２、飛んで、番号５に係る情報５、飛んで、番号８に係る情報８、のように飛び飛びであっても構わない。
この場合、例えば第１実施例に係る図２（ａ−１）のように、分割度４の表示を行なった場合、例えば、情報表示領域１に情報１、情報表示領域２に情報２、情報表示領域３に情報５、情報表示領域４に情報８、を表示することになる。
つまり、情報に係る番号の大小順に、情報表示領域への表示を行うものとする。
【０２６８】
なお、上記した本発明に係る情報選択装置は、メイン表示部を備えるものとしている。
しかしこのメイン表示部は、本情報選択装置と一体構成されていても、本情報選択装置と別体に構成されており取り外し可能、又は外付け可能であっても構わない。
これにより、情報処理装置本体を小型化することが出来る。
【０２６９】
なお、上記した本発明に係る情報選択装置は、方向速度入力部を備えるものとしている。
しかしこの方向速度操作部は、本情報選択装置と一体構成されていても、本情報選択装置と別体に構成されており取り外し可能、又は外付け可能であっても構わない。
これにより、情報処理装置本体を小型化することが出来る。
【０２７０】
なお、上記した本発明に係る情報選択装置は、選択表示を、情報の周囲を囲う枠としている。
しかしこの選択表示は、所定の記号や枠であっても構わないし、この記号に代替して選択中の情報を他の情報より、少し大きく又は表示色を変えて表示するなど、差別化して表示するものであっても構わない。
これにより、より適切な表示方法において選択表示を表示させることが出来る。
【０２７１】
なお、上記した本発明に係る情報選択装置は、情報順番を、撮影日時の早い順としている。
しかしこの情報順番は、例えば、撮影日時の遅い順、各情報のファイル名のアルファベット順、ＥＸＩＦ情報に記録されている解像度の大小順、などであっても構わない。
これにより、使用者はより適切に情報を選択することが出来る。
また、それらの情報順番を切り替えて設定できる構成になっていても構わない。
これにより、検索効率をより向上して情報の選択を行なわせることができる。
【０２７２】
なお、上記した本発明に係る情報選択装置は、操作方向を、＋方向又は−方向の何れか１方向としている。
しかし、この操作方向は、所定の３つ以上の方向であっても構わない。
例えば、＋方向及び−方向に加えて、上方向及び下方向を入力可能に構成しても構わない。
この場合、情報を複数のレイヤーに配置させると共に、上方向の入力により上部のレイヤーに、下方向の入力により下部のレイヤーに、選択表示を移動させるように構成しても構わない。
これにより、使用者はより快適に情報を選択することが出来る。
【０２７３】
なお、上記した本発明に係る情報選択装置は、情報を、互いに接するように配置する構成としている。
しかし、この情報は、一部重ねて配置される構成であっても構わない。
そして例えば、選択表示により選択している情報のみその情報の全体の確認を可能とする構成であっても構わない。
これにより、使用者が情報を選択するための表示画面をより適当なものとすることで、情報の選択を行ない易くすることが出来る。
【０２７４】
なお、上記した本発明に係る情報選択装置は、選択表示を、操作方向が入力される毎に、情報順番が隣接する情報へと選択を移動させる構成としている。
しかし、この移動は、隣接する情報ではなくても構わない。
例えば、隣接する情報を１つ飛ばして、その隣の情報へと選択を移動する構成としても構わない。
また、隣接する情報へと移動したり、１つ飛ばした情報へと移動したり、とその時と場合に応じてその移動方法が変更される構成としても構わない。
これにより、使用者が情報を選択する自由度が向上されて、より自由度の高い検索を行うことが可能となる。
【０２７５】
なお、上記した本発明に係る情報選択装置は、表示画面を、メイン表示部１７で表示する画面として構成している。
しかし、この表示画面は、そのようではなくても構わない。
例えば、メイン表示部１７で画面を表示するために制御部１３Ａにより生成される情報とする構成としても構わない。
また例えば、メイン表示部１７で画面を表示するためにメイン表示制御部１６により生成された情報とする構成としても構わない。
【０２７６】
なお、上記した本発明に係る情報選択装置は、基本的に情報の位置を固定すると共に選択表示の位置を移動可能に構成することにより、情報を選択する構成としている。
しかし、そのようではなくても構わない。
これとは逆に、基本的に選択表示の位置を固定すると共に情報の位置を移動可能にする構成としても構わない。
これにより、製品構成の自由度を向上することが出来る。
【０２７７】
なお、上記した本発明に係る情報選択装置は、初期状態においては、自動的に情報順番が最初である情報を選択するように構成している。
例えば、モード設定部１５Ｃにより表示モードが設定された当初においては、自動的に情報順番が最初である情報を選択するように構成している。
しかし、このようではなくともよく、前回最後に選択表示により選択した情報を保存記録装置１４Ｃに記録しておき、この情報が外部記録装置１４Ｂに記録されていることが検出された場合に、この情報を自動的に選択するように構成しても構わない。（ラストメモリ機能）
【０２７８】
なお、上記に記載した本発明に係る情報選択装置は、その制御の全てを制御部１３Ａが統括して制御するように構成した。
しかしこのようではなくとも構わない。
また、上記に記載した本発明に係る情報処理装置は、特にその表示処理に多くの負荷が掛かるので、この表示処理に掛かる処理を、制御部１３Ａの指示に基づき特殊演算部１３Ｂにより補足の演算をさせるように構成している。
これにより、情報処理装置全体の処理速度の向上を図ることが出来る。
しかしこのようではなくとも構わない。
【０２７９】
なお、上記した本発明に係る情報選択装置は、選択表示の選択する情報に係る情報順番が最後である場合に選択表示の選択する情報に係る情報順番を増加させる方向の入力あった場合、表示画面内の情報であって情報順番が最小である情報に代えて情報順番が最初の情報を配置するように制御する構成としている。
しかしこの場合の制御は、実行されないものであっても構わない。
これにより、選択している情報の情報順番が最後であることを、使用者により明確に認識させて情報を選択させることが出来る。
【０２８０】
なお、上記した本発明に係る情報選択装置は、レイアウト中に情報表示領域を設定した上で、この情報表示領域上に情報を表示する構成としている。
しかし、この情報表示領域は、間接的（結果的）に与えられた構成であっても構わない。
つまり、各種制御の結果として、上記のような所定の情報表示領域に基づいた制御となっている構成についても、本発明に包含されるものである。
つまり、情報表示領域とは、結果的に情報を表示している領域のことであって構わない。
【０２８１】
さらに、上記した本発明に係る情報選択装置は、情報表示領域のサイズを拡大することにより情報のサイズを拡大し、情報表示領域のサイズを縮小することにより情報のサイズを縮小する構成としている。
しかし、この構成は、間接的（結果的）に与えられた攻勢であっても構わない。
つまり、各種制御の結果として、上記のような構成に基づいた制御となっている構成についても、本発明に包含されるものである。
つまり、情報のサイズは、直接的に情報表示領域のサイズにより制御される構成となっていなくとも、間接的（結果的）に情報表示領域のサイズにより制御される構成であれば構わない。
【０２８２】
なお、上記した通り、領域番号は、レイアウトの夫々に対応して予め設定されていても構わないし、レイアウトが制御される毎に所定の法則により随時決定されるものでも構わない。
【０２８３】
なお、上記した本発明に係る情報選択装置は、領域順番を、表示中の情報表示領域に直接的に順番を付与したものとしている。
しかし、この領域順番は、間接的（結果的）に与えられた順番であっても構わない。
つまり、各種制御の結果として、上記のような所定の領域順番に基づいた制御となっている構成についても、本発明に包含されるものである。
【０２８４】
なお、上記した本発明に係る情報選択装置は、初期情報順番を、操作速度段階の増加前に選択されていた情報に係る情報順番に基づき設定されるものとしている。
しかしこの初期情報順番は、このようではなくとも構わない。
例えば、いつも同じ情報順番とされるものとしても構わない。
【０２８５】
なお、本発明における情報選択装置においては、本発明における情報選択方法が実行されている場合に、決定指示部１５Ｂの押下が入力されると、選択表示により選択されている情報の補足情報を、残余情報表示領域、重畳情報表示領域、代替情報表示領域、の内の少なくとも何れか１つに表示するように構成しても構わない。
【０２８６】
なお、本発明における情報選択装置においては、本発明における情報選択方法が実行されている場合に、方向速度入力部１５Ｇの操作が停止されたことが前記制御部１３Ａにより検出されると、選択表示により選択されている情報の補足情報を、残余情報表示領域、重畳情報表示領域、代替情報表示領域、の内の少なくとも何れか１つに表示するように構成しても構わない。
【０２８７】
なお、本発明は、情報を選択する処理を実行する電子機器である情報選択装置に適用出来る。
例えば、デジタル及びアナログのスチルカメラ及びビデオカメラ、又はカメラを搭載した携帯電話やＰＤＡなどの電子機器を含む、撮像装置に適用出来る。
また、インターネットやイントラネットと接続したパーソナルコンピュータ等の情報処理装置にも適用出来る。
【０２８８】
（構成形態）
上記した本発明は、種々の段階の発明により構成されている。
本発明は、前述した実施形態に限定されるものではなく、実施段階ではその要旨を逸脱しない範囲で種々に変形することが可能である。
また、前述した実施形態で実行される機能は可能な限り適宜組合せて実施しても良い。前述した実施形態には種々の段階の発明が含まれており、開示される複数の構成要件における適宜の組合せにより種々の発明が抽出され得る。
例えば、実施形態に示される全構成要件から幾つかの構成要件が削除されても、効果が得られるので有れば、この構成要件が削除された構成が発明として抽出され得る。
更に本発明によれば、例えばこの種々の段階の発明の一形態として、下記の構成形態を構成可能である。
【０２８９】
[構成形態Ａ]
【０２９０】
[構成形態Ａ１]
所定の表示可能領域を有する表示Ａ手段と、
ユーザにより操作される操作機構を有し、当該操作機構に対する操作速度を入力する操作入力Ａ手段と、
前記操作入力Ａ手段により入力された操作速度に基づいて、前記表示Ａ手段の表示可能領域中に表示する情報数を設定する設定Ａ手段と、
前記設定Ａ手段により設定された情報数の情報を前記表示Ａ手段の表示可能領域に表示する表示制御Ａ手段と
を備えることを特徴とする情報表示装置。
【０２９１】
このように構成することで、操作速度に基づいて情報の総数を設定しているので、確認容易性と検索効率とを両立して所望の情報を表示することができる。
【０２９２】
操作入力Ａ手段は、保存記録装置１４Ｃに記録される操作入力Ａルーチンにより実現される。
このルーチンは、制御部１３Ａにより読み出されて実行される。
このルーチンは、操作機構である方向速度入力部１５Ｇに対して入力された操作に係る速度である操作速度を、制御部１３Ａに入力する。
なお、操作入力Ａ手段は、方向速度入力部１５Ｇで実行されても構わない。
この時、操作機構である方向速度入力部１５Ｇに対して入力された操作に係る速度である操作速度を、制御部１３Ａへ入力させる。
【０２９３】
設定Ａ手段は、保存記録装置１４Ｃに記録される設定Ａルーチンにより実現される。
このルーチンは、制御部１３Ａにより読み出されて実行される。
このルーチンは、操作機構である方向速度入力部１５Ｇに対して入力された操作速度に基づいて、表示可能領域中に表示する情報数を設定する。
なお、設定Ａ手段は、メイン表示制御部１６で実行されても構わない。
【０２９４】
表示制御Ａ手段は、保存記録装置１４Ｃに記録される表示制御Ａルーチンにより実現される。
このルーチンは、制御部１３Ａにより読み出されて実行される。
さらにこのルーチンは、特殊演算部１３Ｂにその演算の一部を行なわせて、制御部１３Ａによる制御を補助させる。
このルーチンは、設定Ａルーチンにより設定された情報数の情報を表示可能領域に表示する。
【０２９５】
[構成形態Ａ２]
前記設定Ａ手段は、前記操作入力Ａ手段により入力された操作速度に基づいて、前記表示Ａ手段の表示可能領域に表示させる情報の大きさを設定することを特徴とする構成形態Ａ１に記載の情報表示装置。
【０２９６】
[構成形態Ａ３]
前記設定Ａ手段は、前記操作速度が所定値まで増加又は減少した場合に、前記表示Ａ手段の表示可能領域中に表示する情報数を段階的に増加又は減少させることを特徴とする構成形態Ａ１又は構成形態Ａ２の何れか一項に記載の情報表示装置。
【０２９７】
[構成形態Ａ４]
前記表示制御Ａ手段は、複数の情報が重ならないように前記表示Ａ手段に表示させることを特徴とする構成形態Ａ１乃至構成形態Ａ３の何れか一項に記載の情報表示装置。
【０２９８】
[構成形態Ａ５]
前記表示制御Ａ手段は、複数の情報を前記表示Ａ手段の表示可能領域の縁部に隣接させ、当該複数の情報を円状に配置したことを特徴とする構成形態Ａ４に記載の情報表示装置。
【０２９９】
[構成形態Ａ６]
前記表示制御Ａ手段は、複数の情報を前記表示Ａ手段の表示可能領域の縦方向又は横方向に配置したことを特徴とする構成形態Ａ４に記載の情報表示装置。
【０３００】
[構成形態Ｂ]
【０３０１】
[構成形態Ｂ１]
使用者の操作が入力されると、複数の情報中の何れか１つの情報が、選択情報として選択されるように、前記選択情報を含む少なくとも１つの情報が、配置されるように、表示画面を構成する画面構成装置において、
前記操作に係る速度の段階である操作速度段階を判定する操作判定Ｂ手段と、
前記操作速度段階が１つ増加した場合に、前記表示画面中の情報の内の少なくとも何れか１つの情報の表示サイズが、縮小されるように、且つ、当該表示画面中の情報の総数が、増加されるように、前記表示画面を構成する画面構成Ｂ手段と、
を備える、ことを特徴とする、画面構成装置。
【０３０２】
このように構成することで、操作速度が低い時には表示する情報の総数を少なく設定して情報の確認容易性を確保し、操作速度が高い時には表示する情報の総数を多く設定して検索効率を高めることにより、確認容易性と検索効率とを両立して情報の選択を可能にする表示画像を構成することができる。
【０３０３】
操作判定Ｂ手段は、保存記録装置１４Ｃに記録される操作判定Ｂルーチンにより実現される。
このルーチンは、制御部１３Ａにより読み出されて実行される。
このルーチンは、方向速度入力部１５Ｇにより入力された操作に係る速度の段階である操作速度段階、この操作に係る方向である操作方向、この操作に係る角度である操作角度、を判定する。
なお、操作判定Ｂ手段は、方向速度入力部１５Ｇにおいて実現されても構わない。
選択情報は、選択表示としてのカーソルが選択している情報である。
第１の方向は、＋方向であるが、これに限定されない。
【０３０４】
画面構成Ｂ手段は、保存記録装置１４Ｃに記録される画面構成Ｂルーチンにより実現される。
このルーチンは、制御部１３Ａにより読み出されて実行される。
このルーチンは、所定の状態に情報を配置した表示画面を構成する。
この表示画面は、例えば、第１実施形態乃至第３実施形態に記載したとおり、方向速度入力部１５Ｇにより入力された操作に基づき、その構成が更新される。
【０３０５】
なお、この画面構成装置は、制御部１３Ａであっても、情報選択装置１００であっても構わない。
【０３０６】
[構成形態Ｂ２]
前記画面構成Ｂ手段は、前記操作速度段階が１つ減少した場合に、前記表示画面中の情報の内の少なくとも何れか１つの情報の表示サイズが、拡大されるように、且つ、当該表示画面中の情報の総数が、減少されるように、前記表示画面を構成する、
ことを特徴とする、構成形態Ｂ１に記載の画面構成装置。
【０３０７】
このように構成することで、より快適に、確認容易性と検索効率とを両立して情報の選択を可能にする表示画像を構成することができる。
【０３０８】
[構成形態Ｂ３]
前記画面構成Ｂ手段は、前記選択情報が、前記表示画面中における他の情報と差別されるように、前記表示画面を構成する
ことを特徴とする、構成形態Ｂ１又は構成形態Ｂ２に記載の画面構成装置。
【０３０９】
このように構成することで、より快適に、確認容易性と検索効率とを両立して情報の選択を可能にする表示画像を構成することができる。
【０３１０】
[構成形態Ｂ４]
前記操作判定Ｂ手段は、前記操作に係る方向である操作方向を判定し、
前記操作方向が判定された場合に、前記操作方向に基づき、前記情報全ての内の何れか１つの情報を選択情報として選択する情報選択Ｂ手段、を備える、
ことを特徴とする、構成形態Ｂ１乃至構成形態Ｂ３の内の何れか１項に記載の画面構成装置。
【０３１１】
このように構成することで、より快適に、確認容易性と検索効率とを両立して情報の選択を可能にする表示画像を構成することができる。
【０３１２】
情報選択Ｂ手段は、保存記録装置１４Ｃに記録される情報選択Ｂルーチンにより実現される。
このルーチンは、制御部１３Ａにより読み出されて実行される。
このルーチンは、使用者の方向速度入力部１５Ｇへの操作に基づき、外部記録装置１４Ｂ中の情報全ての内の何れか１つの情報を選択情報として選択する。
【０３１３】
[構成形態Ｂ５]
前記操作判定Ｂ手段は、前記操作に係る角度である操作角度を判定し、
前記情報選択Ｂ手段は、前記操作判定Ｂ手段に、前記操作速度及び操作方向が判定されない場合であって、前記操作角度が判定された場合に、前記操作角度に基づいて、前記表示画面中の情報から何れか１つを、前記選択情報として選択する
ことを特徴とする、構成形態Ｂ４に記載の画面構成装置。
【０３１４】
このように構成することで、より快適に、確認容易性と検索効率とを両立して情報の選択を可能にする表示画像を構成することができる。
【０３１５】
なお、上記したとおり、第１実施例及び第２実施例だけではなく、第３実施例においても、操作速度レベルである操作速度段階及び操作方向が判定されない場合であって、操作角度が判定された場合に、操作角度のみに基づいて、情報が選択されても良い。
つまり、外部記録装置１４Ｂに記録されている全情報の情報番号と、操作角度とが対応するように、情報が選択されても良い。
つまり、例えば、操作角度として９０度が入力されると、情報順番が全情報順番の内で、最初から１／４に該当する情報が選択されるように構成されても良い。
【０３１６】
[構成形態Ｂ６]
前記情報夫々は、前記情報全ての順番である情報順番を有し、
前記操作判定Ｂ手段は、前記操作方向として第１の方向を判定し、
前記情報選択Ｂ手段は、前記選択情報の情報順番が、当該情報順番の最後ではない場合であって、前記第１の方向が判定された場合に、前記情報順番が１つ増加された情報を、前記選択情報として選択する
ことを特徴とする、構成形態Ｂ４又は構成形態Ｂ５に記載の画面構成装置。
【０３１７】
このように構成することで、より快適に、確認容易性と検索効率とを両立して情報の選択を可能にする表示画像を構成することができる。
【０３１８】
[構成形態Ｂ７]
前記情報選択Ｂ手段は、前記選択情報の情報順番が、当該情報順番の最後である場合であって、前記第１の方向が判定された場合に、前記情報順番が最初の情報を、前記選択情報として選択する
ことを特徴とする、構成形態Ｂ６に記載の画面構成装置。
【０３１９】
このように構成することで、より快適に、確認容易性と検索効率とを両立して情報の選択を可能にする表示画像を構成することができる。
【０３２０】
[構成形態Ｂ８]
前記操作判定Ｂ手段は、前記操作方向として第２の方向を判定し、
前記情報選択Ｂ手段は、前記選択情報の情報順番が、当該情報順番の最初ではない場合であって、前記第２の方向が判定された場合に、前記情報順番が１つ減少した情報を、前記選択情報として選択する
ことを特徴とする、構成形態Ｂ６又は構成形態Ｂ７に記載の画面構成装置。
【０３２１】
このように構成することで、より快適に、確認容易性と検索効率とを両立して情報の選択を可能にする表示画像を構成することができる。
【０３２２】
第２の方向は、−方向であるが、これに限定されない。
【０３２３】
[構成形態Ｂ９]
前記表示画面は、前記情報が配置される情報表示領域を有し、
前記情報表示領域夫々は、前記表示画面中の情報表示領域全ての順番である領域順番を有し、
前記画面構成Ｂ手段は、前記情報が、前記情報表示領域にサイズを適合させて配置されるように、前記表示画面中の情報全てが、情報番号を連続して選択されるように、前記表示画面中の情報全てが、前記操作に基づいて選択されるように、前記情報が、前記情報順番と前記情報表示領域との順番の大小方向を適合させて配置されるように、前記表示画面中の選択情報が、所定領域順番の情報表示領域に配置されるように、前記表示画面を構成する、
ことを特徴とする、構成形態Ｂ６乃至構成形態Ｂ８の内の何れか１項に記載の画面構成装置。
【０３２４】
このように構成することで、より快適に、確認容易性と検索効率とを両立して情報の選択を可能にする表示画像を構成することができる。
【０３２５】
画面構成Ｂルーチンは、以下の通り表示画面を構成する。
情報が、情報表示領域にサイズを適合させて配置されるように、表示画面を構成する。
表示画面中の情報全てが、情報全てから情報番号を連続して選択されるように、表示画面を構成する。
表示画面中の情報全てが、方向速度入力部１５Ｇの操作に基づいて選択されるように、表示画面を構成する。
情報が、情報順番と情報表示領域との順番の大小方向を適合させて配置されるように、表示画面を構成する。
表示画面中の選択情報が、所定領域順番の情報表示領域に配置されるように、表示画面を構成する。
【０３２６】
[構成形態Ｂ１０]
前記画面構成Ｂ手段は、前記選択情報に係る領域順番が、当該領域順番の最後ではない場合であって、前記第１の方向が判定された場合に、前記領域順番が１つ増加した情報表示領域に、前記選択情報を配置する
ことを特徴とする、構成形態Ｂ９に記載の画面構成装置。
【０３２７】
このように構成することで、より快適に、確認容易性と検索効率とを両立して情報の選択を可能にする表示画像を構成することができる。
【０３２８】
[構成形態Ｂ１１]
前記画面構成Ｂ手段は、前記選択情報に係る領域順番が、当該領域順番の最後である場合であって、前記第１の方向が判定された場合に、前記領域順番が最初の情報表示領域に、前記選択情報を配置する
ことを特徴とする、構成形態Ｂ９又は１０に記載の画面構成装置。
【０３２９】
このように構成することで、より快適に、確認容易性と検索効率とを両立して情報の選択を可能にする表示画像を構成することができる。
【０３３０】
[構成形態Ｂ１２]
前記画面構成Ｂ手段は、前記操作速度段階が１つ増加した場合に、前記表示画面中の情報全てが、当該情報の表示サイズを同じ程度縮小されるように、前記表示画面中の情報表示領域夫々を構成する
ことを特徴とする、構成形態Ｂ９乃至構成形態Ｂ１１の内の何れか１項に記載の画面構成装置。
【０３３１】
このように構成することで、より快適に、確認容易性と検索効率とを両立して情報の選択を可能にする表示画像を構成することができる。
【０３３２】
[構成形態Ｂ１３]
前記画面構成Ｂ手段は、前記操作速度段階が１つ増加した場合に、前記選択情報を含んで、当該選択情報に係る領域順番と、領域順番が連続した情報表示領域に係る情報夫々の表示サイズが同じ程度縮小されるように、且つ、その他の前記情報夫々のサイズがそのままに維持されるように、前記表示画面中の情報表示領域夫々を構成する
ことを特徴とする、構成形態Ｂ９乃至構成形態Ｂ１１の内の何れか１項に記載の画面構成装置。
【０３３３】
このように構成することで、より快適に、確認容易性と検索効率とを両立して情報の選択を可能にする表示画像を構成することができる。
【０３３４】
[構成形態Ｂ１４]
前記画面構成Ｂ手段は、前記操作速度段階が１つ増加した場合に、前記選択情報と、当該選択情報に係る領域順番より、領域順番が大きい情報表示領域に係る情報夫々と、の表示サイズが同じ程度縮小されるように、且つ、その他の前記情報夫々のサイズがそのままに維持されるように、前記表示画面中の情報表示領域夫々を構成する
ことを特徴とする、構成形態Ｂ９乃至構成形態Ｂ１１の内の何れか１項に記載の画面構成装置。
【０３３５】
このように構成することで、より快適に、確認容易性と検索効率とを両立して情報の選択を可能にする表示画像を構成することができる。
【０３３６】
[構成形態Ｂ１５]
前記情報は、撮影画像情報であり、
前記情報順番は、前記撮影画像情報の撮影日時、前記撮影画像情報のファイル名、前記撮影画像情報に関連付けられている所定の番号、の内の何れか１つに基づき定められる、
ことを特徴とする、構成形態Ｂ６乃至構成形態Ｂ１４の内の何れか１項に記載の画面構成装置。
【０３３７】
このように構成することで、より快適に、確認容易性と検索効率とを両立して情報の選択を可能にする表示画像を構成することができる。
【０３３８】
つまり前に記載した通り、情報は、撮影画像であり、情報順番は、撮影画像情報の撮影日時、撮影画像情報のファイル名、撮影画像情報に関連付けられている所定の番号、の内の何れか１つに基づき、制御部１３Ａにより定められてもよい。
なお、情報は撮影画像情報に限らず、例えば、文字情報に基づく文字画像であってよい。
なお、情報順番はこれらに限らず、例えば、情報が文字情報に基づく文字画像である場合、この文字情報の文字配列に基づき、制御部１３Ａにより定められてもよい。
【０３３９】
[構成形態Ｂ１６]
前記表示画面を表示する表示部、前記表示画面を出力する出力部、の内の何れか１つと、前記操作を入力する操作部、を備える
ことを特徴とする、構成形態Ｂ１乃至構成形態Ｂ１５の内の何れか１項に記載の画面構成装置。
【０３４０】
このように構成することで、より快適に、確認容易性と検索効率とを両立して情報の選択ができる。
【０３４１】
つまり、前に記載した通り、情報選択装置１００は、メイン表示部１７、メイン表示制御部１６、操作入力領域１５、を備える。
なお、前に記載した通り、メイン表示部１７は外付けであっても構わないし、操作入力領域１５も外付けであっても構わない。
つまり、前に記載した通り、この画面構成装置は、制御部１３Ａであっても、情報選択装置１００であっても構わない。
【０３４２】
[構成形態Ｃ]
【０３４３】
[構成形態Ｃ１]
情報順番を有する情報の中から、選択表示により何れか１つの情報を選択する情報選択装置において、
使用者の操作に基づく、操作方向及び操作速度を入力する操作入力制御Ｃ手段と、
前記情報を入力する情報入力制御Ｃ手段と、
所定のレイアウトに基づき配置された情報順番の連続した所定数の前記情報の夫々、及び、当該レイアウトに基づき配置された情報の内の何れか１つの情報が選択されている前記選択表示、を配置した表示画面を出力する表示出力制御Ｃ手段と、
当該操作速度が増加する程に前記情報の内の少なくとも何れか１つの情報が縮小されると共に当該情報の総数が増加されるように、且つ、当該操作速度が低減する程に前記情報の内の少なくとも何れか１つの情報が拡大されると共に当該情報の総数が減少されるように、前記表示出力制御Ｃ手段における前記レイアウトを制御するレイアウト制御Ｃ手段と、
前記操作入力制御Ｃ手段による入力に基づき、前記選択表示の選択している情報が変更されるように、前記表示出力制御Ｃ手段における当該選択表示の配置を制御する選択制御Ｃ手段と、
を備えることを特徴とする、情報選択装置。
【０３４４】
このように構成することで、操作速度が低い時には表示する情報の総数を少なく設定して情報の視認性を確保し、操作速度が高い時には表示する情報の総数を多く設定して検索効率を高めることにより、視認性と検索効率とを両立して情報の選択を行わせることができる。
【０３４５】
操作入力制御Ｃ手段は、保存記録装置１４Ｃに記録される操作入力制御Ｃルーチンにより実現される。
このルーチンは、制御部１３Ａにより読み出されて実行される。
このルーチンは、方向速度入力部１５Ｇにより入力された操作方向及び操作速度を、制御部１３Ａに入力する。
【０３４６】
情報入力制御Ｃ手段は、保存記録装置１４Ｃに記録される情報入力制御Ｃルーチンにより実現される。
このルーチンは、制御部１３Ａにより読み出されて実行される。
このルーチンは、一時記録装置１４Ｄに記録されている必要な情報を読み出して、制御部１３Ａに入力する。
また、このルーチンは、外部記録装置１４Ｂに記録されている必要な情報を読み出して、一時記録装置１４Ｄに記録する。
【０３４７】
表示出力制御Ｃ手段は、保存記録装置１４Ｃに記録される表示出力制御Ｃルーチンにより実現される。
このルーチンは、制御部１３Ａにより読み出されて実行される。
このルーチンは、制御部１３Ａによる指示に基づき、特殊演算部１３Ｂにてその演算の一部が処理される。
このルーチンは、例えば、第１実施例及び第３実施例にて開示した表示画面に係るデータを、メイン表示制御部１６に出力する。
メイン表示制御部１６は、このデータに基づき、メイン表示部に画面を表示させる。
【０３４８】
[構成形態Ｃ２]
前記レイアウト制御Ｃ手段は、所定のレイアウトルールに基づき、前記情報順番が前後する情報同士互いに近接して情報の夫々が配置されるように、前記レイアウトを制御し、
前記操作入力制御Ｃ手段は、前記操作方向として、第１の方向を入力する、
と共に、
前記操作入力制御Ｃ手段による第１の方向の入力に基づき、前記選択表示により選択される情報に係る情報順番が１つ増加されるように、前記選択制御Ｃ手段における前記選択表示の配置を制御する通常選択制御Ｃ手段、を備える
ことを特徴とする、構成形態Ｃ１に記載の情報選択装置。
【０３４９】
このように構成することで、より快適に、視認性と検索効率とを両立して情報の選択を行わせることができる。
【０３５０】
レイアウト制御Ｃルーチンは、例えば、第１のレイアウトルール（例えば図２参照）、第２のレイアウトルール（例えば図１３参照）、第３のレイアウトルール（例えば図１５参照）、の内の何れか１つに基づき、情報を配置されるようにレイアウトを制御する。
第１の操作方向は、例えば、第１実施例乃至第３実施例における＋方向である。
【０３５１】
[構成形態Ｃ３]
前記操作入力制御Ｃ手段は、前記操作方向として、第２の方向を入力する、
と共に、
前記通常選択制御Ｃ手段は、前記操作入力制御Ｃ手段による第２の方向の入力に基づき、前記選択表示により選択される情報に係る情報順番が１つ減少されるように、前記選択表示の配置を制御する
ことを特徴とする、構成形態Ｃ２に記載の情報選択装置。
【０３５２】
このように構成することで、より快適に、視認性と検索効率とを両立して情報の選択を行わせることができる。
【０３５３】
第２の方向は、例えば、第１実施例乃至第３実施例における−方向である。
【０３５４】
[構成形態Ｃ４]
前記選択表示の選択する情報に係る情報順番が、前記表示画面内の情報で最大である場合に、前記操作入力制御Ｃ手段により前記第１の方向が入力されると、前記表示画面内の情報であって情報順番が最小である情報に代えて、当該最大である情報順番を１つ増加した情報順番の情報が配置されるように、前記表示出力制御Ｃ手段における前記表示画面を制御する情報更新表示出力制御Ｃ手段、を備える
ことを特徴とする、構成形態Ｃ２又は構成形態Ｃ３に記載の情報選択装置。
【０３５５】
このように構成することで、より快適に、視認性と検索効率とを両立して情報の選択を行わせることができる。
【０３５６】
情報更新表示出力制御Ｃ手段は、保存記録装置１４Ｃに記録される情報更新表示出力制御Ｃルーチンにより実現される。
このルーチンは、制御部１３Ａにより読み出されて実行される。
このルーチンは、例えば、第１実施例における図２（ａ−１）から図２（ａ−２）への表示遷移、第２実施例における図１３（ｍ）から図１３（ｎ）への表示遷移、第３実施例における図１６（ｈ）から図１６（ｉ）への表示遷移、を実現する。
【０３５７】
[構成形態Ｃ５]
前記選択表示の選択する情報に係る情報順番が、最後である場合に、前記操作入力制御Ｃ手段により前記第１の方向が入力されると、前記表示画面内の情報であって情報順番が最小である情報に代えて、当該情報順番が最初の情報が配置されるように、前記表示出力制御Ｃ手段における前記表示画面を制御する情報限界表示出力制御Ｃ手段、を備える
ことを特徴とする、構成形態Ｃ２乃至構成形態Ｃ４の内の何れか１項に記載の情報選択装置。
【０３５８】
このように構成することで、より快適に、視認性と検索効率とを両立して情報の選択を行わせることができる。
【０３５９】
情報限界表示出力制御Ｃ手段は、保存記録装置１４Ｃに記録される情報限界表示出力制御Ｃルーチンにより実現される。
このルーチンは、制御部１３Ａにより読み出されて実行される。
上記第１実施例及び第３実施例においては、外部記録装置１４Ｂに記録されている情報は１００個である。
よって、情報順番の最大値は１００であり、最小値は１となる。
このルーチンは、上記実施例においては、情報順番が１００となる情報１００を表示している場合に、情報順番を増加させる制御が行われる操作方向が入力されると、情報順番が１である情報１を表示させるという制御を実現する。
【０３６０】
[構成形態Ｃ６]
前記レイアウトは、前記情報の配置される領域であって、且つ、このレイアウト中におけるこの情報表示領域の順番である領域順番が定められた、情報表示領域を有し、
前記レイアウト制御Ｃ手段は、前記情報表示領域のサイズを拡大又は縮小させることにより、及び、当該情報表示領域の総数を増加又は減少させることにより、前記情報のサイズ及び総数を制御し、
前記表示出力Ｃ手段は、当該領域順番の大小方向と前記情報順番の大小方向とが合致して各情報表示領域に各情報が配置されるように、前記表示画面を出力する、
と共に、
前記操作入力制御Ｃ手段による操作速度の入力に基づき、前記選択表示より選択される情報の情報表示領域の領域順番が、初期領域順番となるように、前記選択制御Ｃ手段における当該選択表示の配置を制御する初期選択制御Ｃ手段と、
前記操作入力制御Ｃ手段による操作速度の入力に基づき、前記初期領域順番の情報表示領域に配置される情報の情報順番が、初期情報順番となるように、且つ、当該初期情報順番と前記情報表示領域の総数とに基づき、前記表示画面中の全ての情報の中で最小となる情報順番が、先頭情報順番となるように、前記表示出力制御Ｃ手段における前記情報の配置を制御する初期表示出力制御Ｃ手段と、
を備えることを特徴とする、構成形態Ｃ２乃至構成形態Ｃ５の内の何れか１項に記載の情報選択装置。
【０３６１】
このように構成することで、より快適に、視認性と検索効率とを両立して情報の選択を行わせることができる。
【０３６２】
レイアウト制御Ｃルーチンは、第１実施例及び第３実施例に記載したように、各情報表示領域のサイズに基づいて各情報のサイズを定める。
またこのルーチンは、第１実施例及び第３実施例に記載したように、領域順番の大小方向と前記情報順番の大小方向とを合致して各情報表示領域に各情報を配置する。
【０３６３】
初期選択制御Ｃ手段は、保存記録装置１４Ｃに記録される初期選択制御Ｃルーチンにより実現される。
このルーチンは、制御部１３Ａにより読み出されて実行される。
このルーチンは、操作速度の入力に基づき、選択表示より選択される情報の情報表示領域の領域順番が、初期領域順番となるように、選択表示の配置を制御する。
【０３６４】
初期領域順番は、例えば、第１実施例において図２（ａ−１）から図２（ｂ−１）に遷移する場合は１となり、第２実施例において図１３（ｄ）から図１３（ｅ）に遷移する場合は３となり、第３実施例において図１５（ｂ）から図１５（ｃ）に遷移する場合は３となる。
【０３６５】
初期表示出力制御Ｃ手段は、保存記録装置１４Ｃに記録される初期表示出力制御Ｃルーチンにより実現される。
このルーチンは、制御部１３Ａにより読み出されて実行される。
このルーチンは、操作速度の入力に基づき、初期領域順番の情報表示領域に配置される情報の情報順番が、初期情報順番となるように、且つ、初期情報順番と情報表示領域の総数とに基づき、表示画面中の全ての情報の中で最小となる情報順番が、先頭情報順番となるように、情報の配置を制御する。
【０３６６】
初期情報順番は、例えば、第１実施例において図２（ａ−１）から図２（ｂ−１）に遷移する場合は５となり、第２実施例において図１３（ｄ）から図１３（ｅ）に遷移する場合は８となり、第３実施例において図１５（ｂ）から図１５（ｃ）に遷移する場合は３となる。
【０３６７】
先頭情報順番は、例えば、第１実施例において図２（ａ−１）から図２（ｂ−１）に遷移する場合は１となり、第２実施例において図１３（ｄ）から図１３（ｅ）に遷移する場合は３となり、第３実施例において図１５（ｂ）から図１５（ｃ）に遷移する場合は１となる。
【０３６８】
[構成形態Ｃ７]
前記操作入力制御Ｃ手段は、前記操作方向、前記操作速度、と共に操作角度を入力し、
前記レイアウトは、前記操作角度と前記情報表示領域の夫々とが関連付けられている、
と共に、
前記操作速度が１段階増加した場合に、前記初期領域順番が、前記操作角度に基づいた領域順番となるように、前記初期選択制御Ｃ手段における前記選択表示の配置を制御する角度初期選択制御Ｃ手段、を備える
ことを特徴とする、構成形態Ｃ６に記載の情報選択装置。
【０３６９】
このように構成することで、より快適に、視認性と検索効率とを両立して情報の選択を行わせることができる。
【０３７０】
第１のレイウアウトルール及び第２のレイアウトルールによるレイアウトにおいては、前述した通り、図７に示した操作角度と情報表示領域の夫々が関連付けられている。
【０３７１】
角度初期選択制御Ｃ手段は、保存記録装置１４Ｃに記録される角度初期選択制御Ｃルーチンにより実現される。
このルーチンは、制御部１３Ａにより読み出されて実行される。
このルーチンは、例えば、第１実施例又は第２実施例において、初期領域順番が、操作角度に基づいた領域順番となるようにしている。
【０３７２】
[構成形態Ｃ８]
前記操作速度が１段階増加した場合に、前記表示画面中の全ての情報のサイズが同じ程度縮小されるように、前記レイアウト制御Ｃ手段における前記レイアウトを制御する全縮小レイアウト制御Ｃ手段、を備える
ことを特徴とする、構成形態Ｃ６又は構成形態Ｃ７に記載の情報選択装置。
【０３７３】
このように構成することで、より快適に、視認性と検索効率とを両立して情報の選択を行わせることができる。
【０３７４】
全縮小レイアウト制御Ｃ手段は、保存記録装置１４Ｃに記録される全縮小レイアウト制御Ｃルーチンにより実現される。
このルーチンは、制御部１３Ａにより読み出されて実行される。
このルーチンは、例えば、第１実施例において説明したように、操作速度が１段階増加した場合に、表示画面中の全ての情報のサイズが同じ程度縮小されるように、レイアウトを制御する。
【０３７５】
[構成形態Ｃ９]
前記操作速度が１段階増加した場合に、前記表示画面中の情報の内、前記選択表示の位置する情報を含んで、この情報を配置した情報表示領域と領域順番が連続した複数の情報表示領域に配置された情報のサイズが同じ程度縮小されて、且つ、その他の情報のサイズがそのままに維持されるように、前記レイアウト制御Ｃ手段における前記レイアウトを制御する一部縮小レイアウト制御Ｃ手段、を備える
ことを特徴とする構成形態Ｃ６又は構成形態Ｃ７に記載の情報選択装置。
【０３７６】
このように構成することで、より快適に、視認性と検索効率とを両立して情報の選択を行わせることができる。
【０３７７】
一部縮小レイアウト制御Ｃ手段は、保存記録装置１４Ｃに記録される一部縮小レイアウト制御Ｃルーチンにより実現される。
このルーチンは、制御部１３Ａにより読み出されて実行される。
このルーチンは、例えば、第２実施例において説明したように、操作速度が１段階増加した場合に、表示画面中の情報の内、選択表示の位置する情報を含んで、この情報を配置した情報表示領域と領域順番が連続した複数の情報表示領域に配置された情報のサイズが同じ程度縮小されて、且つ、その他の情報のサイズがそのままに維持されるように、レイアウトを制御する。
【０３７８】
[構成形態Ｃ１０]
前記操作速度が１段階増加すると共に、前記操作方向として前記第１の方向が入力された場合に、前記初期領域順番が、この操作速度段階の増加前におけるレイアウトで選択していた情報の情報表示領域に係る領域順番と比較して、領域順番を１つ増加させた領域順番とされるように、前記初期選択制御Ｃ手段における前記選択表示の配置を制御する簡易初期選択制御Ｃ手段、を備える
ことを特徴とする、構成形態Ｃ６に記載の情報選択装置。
【０３７９】
このように構成することで、より快適に、視認性と検索効率とを両立して情報の選択を行わせることができる。
【０３８０】
簡易初期選択制御Ｃ手段は、保存記録装置１４Ｃに記録される簡易初期選択制御Ｃルーチンにより実現される。
このルーチンは、制御部１３Ａにより読み出されて実行される。
このルーチンは、例えば、第３実施例において説明したように、操作速度が１段階増加すると共に、操作方向として＋方向が入力された場合に、初期領域順番が、この操作速度段階の増加前におけるレイアウトで選択していた情報の情報表示領域に係る領域順番と比較して、領域順番を１つ増加させた領域順番とされるように、選択表示の配置を制御する。
【０３８１】
[構成形態Ｃ１１]
前記操作速度が１段階増加した場合に、前記表示画面中の情報の内、前記選択表示の選択している情報と、当該情報を配置している情報表示領域の領域順番より領域順番が大きい情報表示領域の情報と、のサイズが同程度縮小されて、且つ、その他の情報のサイズがそのままに維持されるように、前記レイアウト制御Ｃ手段における前記レイアウトを制御する分割縮小レイアウト制御Ｃ手段、を備える
ことを特徴とする構成形態Ｃ６又は構成形態Ｃ１０に記載の情報選択装置。
【０３８２】
このように構成することで、より快適に、視認性と検索効率とを両立して情報の選択を行わせることができる。
【０３８３】
分割縮小レイアウト制御Ｃ手段は、保存記録装置１４Ｃに記録される分割縮小レイアウト制御Ｃルーチンにより実現される。
このルーチンは、制御部１３Ａにより読み出されて実行される。
このルーチンは、例えば、第３実施例において説明したように、操作速度が１段階増加した場合に、表示画面中の情報の内、選択表示の選択している情報と、情報を配置している情報表示領域の領域順番より領域順番が大きい情報表示領域の情報と、のサイズが同程度縮小されて、その他の情報のサイズがそのままに維持されるように、レイアウトを制御する。
【０３８４】
[構成形態Ｃ１２]
前記操作速度が１段階増加した場合に、前記初期情報順番が、前記操作速度段階の増加前に選択されていた情報に係る情報順番に基づき設定されるように、前記初期表示出力制御Ｃ手段における前記情報の配置を制御する配置初期表示出力制御Ｃ手段、を備える
ことを特徴とする構成形態Ｃ６乃至構成形態Ｃ１１の内の何れか１項に記載の情報選択装置。
【０３８５】
このように構成することで、より快適に、視認性と検索効率とを両立して情報の選択を行わせることができる。
【０３８６】
配置初期表示出力制御Ｃ手段は、保存記録装置１４Ｃに記録される配置初期表示出力制御Ｃルーチンにより実現される。
このルーチンは、制御部１３Ａにより読み出されて実行される。
このルーチンは、初期情報順番を、例えば、第１実施例において図２（ａ−１）から図２（ｂ−１）に遷移する場合は操作速度段階の増加前に選択されていた情報の情報順番４に基づき情報順番を１つ増加させた５として、情報を配置制御する。
またこのルーチンは、初期情報順番を、例えば、第２実施例において図１３（ｄ）から図１３（ｅ）に遷移する場合は操作速度段階の増加前に選択されていた情報の情報順番７に基づき情報順番を１つ増加させた８として、情報を配置制御する。
またこのルーチンは、初期情報順番を、例えば、第３実施例において図１５（ｂ）から図１５（ｃ）に遷移する場合は操作速度段階の増加前に選択されていた情報の情報順番２に基づき情報順番を１つ増加させた３として、情報を配置制御する。
【０３８７】
[構成形態Ｃ１３]
前記操作速度が１段階増加した場合に、前記先頭情報順番が、前記操作速度に基づき設定されるように、前記配置初期表示出力制御Ｃ手段における前記情報の配置を制御する先頭配置初期表示出力制御Ｃ手段、を備える
ことを特徴とする構成形態Ｃ１２に記載の情報選択装置。
【０３８８】
このように構成することで、より快適に、視認性と検索効率とを両立して情報の選択を行わせることができる。
【０３８９】
先頭配置初期表示出力制御Ｃ手段は、保存記録装置１４Ｃに記録される先頭配置初期表示出力制御Ｃルーチンにより実現される。
このルーチンは、制御部１３Ａにより読み出されて実行される。
このルーチンは、操作速度が１段階増加した場合に、先頭情報順番が、操作速度に基づき設定されるように、情報の配置を制御する。
例えば、第１実施例において、図２（ａ−１）から図（ｂ−１）へと遷移する場合、操作速度が１段階増加するに従い、第２の操作速度レベルに基づき、初期情報順番である５よりも４つ情報順番が少ない１を先頭情報順番としている。
これに対して、図２（ｂ−１）から図２（ｃ−１）へと遷移する場合、操作速度が１段階増加するに従い、第３の操作速度レベルに基づき、初期情報順番である６よりも５つ情報順番が少ない１を先頭情報順番としている。
第２実施例、第３実施例における説明は省略するが同様である。
これにより、操作速度が増加するにつれ、操作者が表示される情報を目で追うのに、どの範囲で情報を表示させるように構成すればよいのか、予め任意に設定することが可能となる。
例えば、操作速度が増加するにつれて、初期情報順番と先頭情報順番との差が少なくなるように構成すれば、操作速度が増加してもより先の情報順番である情報を表示させて使用者に選択させることが出来るので、操作速度が速くとも、余裕を持って操作者に情報を確認させて、情報を選択させることが出来る。
【０３９０】
[構成形態Ｃ１４]
前記レイアウトにおいて前記選択表示に選択されている情報について、前記情報が配置されていない前記表示画面の残余の領域である残余情報表示領域、又は、前記情報の夫々が配置されている前記表示画面の全領域の一部に重畳されるように設けられた重畳情報表示領域、又は、前記情報の夫々が配置されている前記表示画面の全領域に代替するように設けられた代替情報表示領域、の内の少なくとも何れか１つの情報表示領域に、当該情報のそのもの又は当該情報に関連付けられた情報の内の少なくとも何れか１つの情報である、補足情報が表示されるように、前記表示出力制御Ｃ手段における前記表示画面を制御する補足表示出力制御Ｃ手段、を備える。
ことを特徴とする構成形態Ｃ１乃至構成形態Ｃ１３の内の何れか１項に記載の情報選択装置。
【０３９１】
このように構成することで、より快適に、視認性と検索効率とを両立して情報の選択を行わせることができる。
【０３９２】
第１実施例において、レイアウトに各画像情報を配置した残余の領域のである残余情報表示領域に、選択表示が選択している画像情報について、この画像情報そのものを拡大して表示する例を記載した。
しかし、本発明はこれに限定されない。
つまり、第１実施例だけではなく第２実施例、第３実施例においても、レイアウトにおいて選択表示に選択されている情報について、情報が配置されていない表示画面の残余の領域である残余情報表示領域、又は、情報の夫々が配置されている表示画面の全領域の一部に重畳されるように設けられた重畳情報表示領域、又は、情報の夫々が配置されている表示画面の全領域に代替するように設けられた代替情報表示領域、の内の少なくとも何れか１つの情報表示領域に、この情報のそのもの又はこの情報に関連付けられた情報の内の少なくとも何れか１つの情報である、補足情報が表示されるように、表示画面を制御するように構成しても構わない。
より詳しくは、上記実施例においては補足情報は画像情報又はこの画像情報に関連付けられたＥＸＩＦ情報としているが、これ以外であっても構わない。
また本発明においては、補足情報を表示する領域は、事前に操作者により、残余情報表示領域、重畳情報表示領域、代替情報表示領域の中から少なくとも何れか１つを設定することが可能に構成されている。
また本発明においては、補足情報を何とするかも、事前に操作者により、設定することが可能に構成されている。
【０３９３】
[構成形態Ｃ１５]
選定操作を入力する選定操作入力制御Ｃ手段と、
当該選定操作入力制御Ｃ手段における選定操作が入力された場合に、前記補足表示出力制御Ｃ手段における前記表示画面の制御を実行する選定表示出力制御Ｃ手段と、
を備えることを特徴とする、構成形態Ｃ１４に記載の情報選択装置。
【０３９４】
このように構成することで、より快適に、視認性と検索効率とを両立して情報の選択を行わせることができる。
【０３９５】
選定操作入力制御Ｃ手段は、保存記録装置１４Ｃに記録される選定操作入力制御Ｃルーチンにより実現される。
このルーチンは、制御部１３Ａにより読み出されて実行される。
このルーチンは、選定操作を入力する。
【０３９６】
選定表示出力制御Ｃ手段は、保存記録装置１４Ｃに記録される選定表示出力制御Ｃルーチンにより実現される。
このルーチンは、制御部１３Ａにより読み出されて実行される。
このルーチンは、選定操作が入力された場合に、表示画面の制御を実行する。
【０３９７】
第１実施例において、レイアウトに各画像情報を配置した残余の領域のである残余情報表示領域に、選択表示が選択している画像情報について、この画像情報そのものを拡大して表示する例を記載した。
つまり、第１実施例においては、選択表示が情報を選択することが即ち選定操作である。
しかし、このようではなくとも構わない。
例えば、決定指示部１５Ｂの押下が入力されると、選択表示により選択されている情報の補足情報を、残余情報表示領域、重畳情報表示領域、代替情報表示領域、の内の少なくとも何れか１つに表示するように構成しても構わない。
これは、第１実施例に限られず、例えば、第２実施例、第３実施例、にも適用できる。
【０３９８】
[構成形態Ｃ１６]
前記操作入力制御Ｃ手段における操作停止を検出する停止検出制御Ｃ手段と、
当該停止検出制御Ｃ手段により操作停止を検出した場合に、前記選定表示出力制御Ｃ手段における前記表示画面の制御を実行する停止表示制御出力Ｃ手段と、
を備えることを特徴とする構成形態Ｃ１５に記載の情報選択装置。
【０３９９】
このように構成することで、より快適に、視認性と検索効率とを両立して情報の選択を行わせることができる。
【０４００】
停止検出制御Ｃ手段は、保存記録装置１４Ｃに記録される停止検出制御Ｃルーチンにより実現される。
このルーチンは、制御部１３Ａにより読み出されて実行される。
このルーチンは、方向速度入力部１５Ｇへの使用者による操作停止を検出する。
【０４０１】
選定表示出力制御Ｃ手段は、保存記録装置１４Ｃに記録される選定表示出力制御Ｃルーチンにより実現される。
このルーチンは、制御部１３Ａにより読み出されて実行される。
このルーチンは、操作停止を検出した場合に、表示画面の制御を実行する。
【０４０２】
これにより、方向速度入力部１５Ｇの操作が停止されたことが前記制御部１３Ａにより検出されると、選択表示により選択されている情報の補足情報を、残余情報表示領域、重畳情報表示領域、代替情報表示領域、の内の少なくとも何れか１つに表示する。
【０４０３】
[構成形態Ｃ１７]
前記操作入力制御Ｃ手段は、前記操作方向、前記操作速度、と共に操作角度を入力し、
前記操作方向及び前記操作速度が入力されない、と共に、前記操作角度が入力された、場合に、当該操作角度に基づき、前記選択制御Ｃ手段における前記選択表示の配置を制御する角度通常選択制御Ｃ手段、を備える
ことを特徴とする構成形態Ｃ１乃至構成形態Ｃ６の内の何れか１項に記載の情報選択装置。
【０４０４】
このように構成することで、より快適に、視認性と検索効率とを両立して情報の選択を行わせることができる。
【０４０５】
角度通常選択制御Ｃ手段は、保存記録装置１４Ｃに記録される角度通常選択制御Ｃルーチンにより実現される。
このルーチンは、制御部１３Ａにより読み出されて実行される。
このルーチンは、操作方向及び前記操作速度が入力されない、と共に、操作角度が入力された、場合に、操作角度に基づき、選択表示の配置を制御する。
【０４０６】
この具体例を以下に説明する。
方向速度入力部１５Ｇが、例えば、図３（Ｃ）又は図３（Ｄ）の構成とされた場合であって、図２（ｂ−２）の状態でその操作の入力が一時停止されたとする。
そしてその後、タッチパッドの所定位置をタッチすると、そのレイアウト及びその情報の夫々の表示はそのままにして、選択表示の位置だけが移動されるように構成しても構わない。
これにより、より快適に情報を選択させることができる。
【０４０７】
[構成形態Ｃ１８]
前記レイアウト制御Ｃ手段における前記レイアウトルールを設定するレイアウトルール設定制御Ｃ手段、を備える、
ことを特徴とする構成形態Ｃ２乃至構成形態Ｃ１３の内の何れか１項に記載の情報選択装置。
【０４０８】
このように構成することで、より快適に、視認性と検索効率とを両立して情報の選択を行わせることができる。
【０４０９】
レイアウトルール設定制御Ｃ手段は、保存記録装置１４Ｃに記録されるレイアウトルール設定制御Ｃルーチンにより実現される。
このルーチンは、制御部１３Ａにより読み出されて実行される。
このルーチンは、レイアウトルールを設定する。
【符号の説明】
【０４１０】
１１  撮像光学系
１２  撮像部
１３  情報処理領域
１３Ａ  制御部
１３Ｂ  特殊演算部
１３Ｃ  画像圧縮部
１３Ｄ  撮像処理部
１４  記録領域
１４Ａ  外部記録装着部
１４Ｂ  外部記録装置
１４Ｃ  保存記録装置
１４Ｄ  一時記録装置
１５  操作入力領域
１５Ａ  撮像指示部
１５Ｂ  決定指示部
１５Ｃ  モード設定部
１５Ｄ  移動操作部
１５Ｅ  メニュー操作部
１５Ｆ  電源操作部
１５Ｇ  方向速度入力部
１６  メイン表示制御部
１７  メイン表示部
１５１  ダイヤル機構
１５２  ダイヤル機構
１５３  タッチパッド
【図１】
2010198310.tif 000003
【図２】
2010198310.tif 000004
【図３】
2010198310.tif 000005
【図４】
2010198310.tif 000006
【図５】
2010198310.tif 000007
【図６】
2010198310.tif 000008
【図７】
2010198310.tif 000009
【図８】
2010198310.tif 000010
【図９】
2010198310.tif 000011
【図１０】
2010198310.tif 000012
【図１１】
2010198310.tif 000013
【図１２】
2010198310.tif 000014
【図１３】
2010198310.tif 000015
【図１４】
2010198310.tif 000016
【図１５】
2010198310.tif 000017
【図１６】
2010198310.tif 000018
【図１７】
2010198310.tif 000019